(57)【要約】【課題】  ＵＬ伝送電力決定のための適切なパスロス値を導出／選択する。【解決手段】    ＵＥの観点から、ＵＥ伝送電力を導出するための方法及び装置が開示される。一実施形態においては、方法は、ＵＥが第１の基準信号から測定された第１のパスロス値を導出するステップを含む。さらに、方法は、ＵＥが第２の基準信号から測定された第２のパスロス値を導出するステップを含む。方法は、ＵＥが第１のＵＬ伝送を送信するステップも含む。ここで、第１のＵＬ伝送のＵＬ伝送電力は第１のパスロス値から導出される。方法は、ＵＥが第２のＵＬ伝送を送信するステップをさらに含む。ここで、第２のＵＬ伝送のＵＬ伝送電力は第２のパスロス値から導出される。【選択図】  図１８
2020022206.tif 000002
【特許請求の範囲】
【請求項１】
送受信ポイント（ＴＲＰ）へのアップリンク（ＵＬ）伝送のためのユーザ機器（ＵＥ）伝送電力を導出する方法であって、
ＵＥが、第１の基準信号から測定された第１のパスロス値を導出するステップと、
前記ＵＥが、第２の基準信号から測定された第２のパスロス値を導出するステップと、
前記ＵＥが、前記ＴＲＰへの第１のＵＬ伝送を送信するステップであって、該第１のＵＬ伝送のＵＬ伝送電力は、前記第１のパスロス値から導出される、ステップと、
前記ＵＥが、同じ前記ＴＲＰへの第２のＵＬ伝送を送信するステップであって、該第２のＵＬ伝送のＵＬ伝送電力は第２のパスロス値から導出される、ステップと、を含み、
前記第１の基準信号および前記第２の基準信号は、セル内の前記ＴＲＰから送信される、方法。
【請求項２】
前記第１のＵＬ伝送及び前記第２のＵＬ伝送は、異なるタイプのＵＬ伝送である、請求項１に記載の方法。
【請求項３】
前記第１のＵＬ伝送のタイプは、パスロス導出のための前記第１の基準信号に少なくとも関連し、前記第２のＵＬ伝送のタイプは、パスロス導出のための第２の基準信号に少なくとも関連する、請求項２に記載の方法。
【請求項４】
前記ＵＬ伝送のタイプと基準信号との間の関連は、シグナリングを介して指定される、構成されるあるいは指示される、請求項３に記載の方法。
【請求項５】
前記第１の基準信号は、制御復調のための基準信号、データ復調のための基準信号、チャネル測定のための基準信号又はパスロスのための基準信号のうちの少なくとも１つであり、前記第２の基準信号は、ビーム追跡／ビーム発見のための基準信号である、請求項１に記載の方法。
【請求項６】
関連するタイプの前記ＵＬ伝送のＵＬ伝送電力を導出するための前記パスロス値は、複数のビームから選択され、選択された該パスロス値は、該複数のビームのうちの最小のパスロス値である、請求項１に記載の方法。
【請求項７】
前記制御復調のための前記基準信号は、制御のための復調基準信号（ＤＭＲＳ）である、請求項５に記載の方法。
【請求項８】
前記制御復調のための前記基準信号から導出された前記パスロス値は、受信した制御シグナリングに関連する前記ＵＬ伝送に対して有効である、請求項７に記載の方法。
【請求項９】
前記データ復調のための前記基準信号は、データのための復調基準信号（ＤＭＲＳ）である、請求項５に記載の方法。
【請求項１０】
前記データ復調のための前記基準信号から導出された前記パスロス値は、受信したダウンリンク（ＤＬ）データ伝送に関連する前記ＵＬ伝送に対して有効である、請求項９に記載の方法。
【請求項１１】
前記データ復調のための前記基準信号に関連するタイプの前記ＵＬ伝送は、ＤＬデータ伝送のためのＨＡＲＱ−ＡＣＫ、非周期的チャネル状態情報（ＣＳＩ）、周期的ＣＳＩ及び／又はＵＬデータ伝送を含む、請求項５に記載の方法。
【請求項１２】
前記チャネル測定のための前記基準信号は、チャネル状態情報基準信号（ＣＳＩ−ＲＳ）である、請求項５に記載の方法。
【請求項１３】
ＵＬデータ伝送のＵＬ伝送電力は、１つの関連するチャネル状態情報基準信号（ＣＳＩ−ＲＳ）リソース／プロセスから導出された前記パスロス値から導出された場合、関連する前記ＣＳＩ−ＲＳリソース／プロセスは、該ＵＬデータ伝送をスケジュールする制御シグナリングにおいて指示される、請求項１に記載の方法。
【請求項１４】
ビーム追跡／ビーム発見のための前記基準信号に関連するタイプの前記ＵＬ伝送は、ＵＬデータ伝送、ＳＲＳ（サウンディング基準信号）、ＵＬ制御、ＨＡＲＱ−ＡＣＫ、ＣＳＩ報告、ＳＲ（スケジューリング要求）、及び／又はプリアンブルを含む、請求項５に記載の方法。
【請求項１５】
チャネル測定のための基準信号に関連するタイプの前記ＵＬ伝送は、非周期ＣＳＩ、周期的ＣＳＩ、及び／又はＵＬデータ伝送を含む、請求項５に記載の方法。
【請求項１６】
前記第１の基準信号はチャネル測定のための基準信号であり、前記第１のＵＬ伝送は第１のＵＬデータ伝送であり、前記第２の基準信号はビーム追跡／ビーム発見のための基準信号であり、前記第２のＵＬ伝送は第２のＵＬデータ伝送である、請求項１に記載の方法。
【請求項１７】
前記第１の基準信号はチャネル測定のための基準信号であり、前記第１のＵＬ伝送はＵＬデータ送信であり、前記第２の基準信号はビーム追跡／ビーム発見のための基準信号であり、前記第２のＵＬ伝送は、プリアンブル、ＳＲＳ（サウンディング基準信号）、ＵＬ制御、ＨＡＲＱ−ＡＣＫ、ＣＳＩ報告及びＳＲ（スケジューリング要求）のうちのいずれかである、請求項１に記載の方法。
【請求項１８】
前記第１の基準信号はチャネル測定のための基準信号であり、前記第１のＵＬ伝送はＵＬデータ伝送であり、前記第２の基準信号はデータ復調のための基準信号であり、前記第２のＵＬ伝送は、ＤＬデータ伝送のためのＨＡＲＱ−ＡＣＫ、非周期的チャネル状態情報（ＣＳＩ）及び周期的ＣＳＩのうちのいずれかである、請求項１に記載の方法。
【請求項１９】
送受信ポイント（ＴＲＰ）へのアップリンク（ＵＬ）伝送のための伝送電力を導出するためのユーザ機器（ＵＥ）であって、
制御回路と、
前記制御回路に設けられたプロセッサと、
前記制御回路に設けられ、前記プロセッサに動作可能に結合されたメモリと、を含み、前記プロセッサは、前記メモリ内に記憶されたプログラムコードを実行して、
第１の基準信号から測定された第１のパスロス値を導出するステップと、
第２の基準信号から測定された第２のパスロス値を導出するステップと、
前記ＴＲＰへの第１のＵＬ伝送を送信するステップであって、該第１のＵＬ伝送のＵＬ伝送電力は、前記第１のパスロス値から導出される、ステップと、
同じ前記ＴＲＰへの第２のＵＬ伝送を送信するステップであって、該第２のＵＬ伝送のＵＬ伝送電力は第２のパスロス値から導出される、ステップと、
を行うように構成され、
前記第１の基準信号および前記第２の基準信号は、セル内の前記ＴＲＰから送信される、ＵＥ。
【発明の詳細な説明】
【技術分野】
【０００１】
本願は、２０１６年８月１０日に出願された、米国仮特許出願第６２／３７２，９４２号の優先権を主張し、そのすべての開示は、参照によりその全体が本明細書に援用される。
【０００２】
本開示は、概して、無線通信ネットワークに関し、より詳細には、無線通信システムにおけるビーム動作に対するパスロス導出のための方法及び装置に関する。
【背景技術】
【０００３】
移動通信デバイスとの間で大量のデータを通信する要求の急速に高まりにつれて、従来の移動音声通信ネットワークは、インターネットプロトコル（ＩＰ）データパケットで通信するネットワークに進化している。そのようなＩＰデータパケット通信は、ボイスオーバーＩＰ、マルチメディア、マルチキャスト及びオンデマンド通信サービスを移動通信デバイスのユーザに提供することができる。
【０００４】
例示的なネットワーク構造は、エボルブドユニバーサル地上無線アクセスネットワーク（Ｅ−ＵＴＲＡＮ）である。Ｅ−ＵＴＲＡＮシステムは、上記のボイスオーバーＩＰ及びマルチメディアサービスを実現するために、高いデータスループットを提供することができる。次世代（例えば、５Ｇ）のための新しい無線技術は、現在、３ＧＰＰ標準化団体によって議論されている。したがって、現行の３ＧＰＰ標準への変更が現在提出されており、３ＧＰＰ標準を発展させ、確定するため検討されている。
【発明の概要】
【０００５】
ＵＥの観点から、ＵＥ伝送電力を導出するための方法及び装置が開示される。一実施形態においては、方法は、ＵＥが第１の基準信号から測定された第１のパスロス値を導出するステップを含む。追加的に、方法は、ＵＥが第２の基準信号から測定された第２のパスロス値を導出するステップを含む。方法は、ＵＥが第１のＵＬ伝送を送信するステップも含む。ここで、第１のＵＬ伝送のＵＬ伝送電力は第１のパスロス値から導出される。方法は、ＵＥが第２のＵＬ伝送を送信するステップをさらに含む。ここで、第２のＵＬ伝送のＵＬ伝送電力は第２のパスロス値から導出される。
【図面の簡単な説明】
【０００６】
【図１】図１は、例示的な一実施形態による無線通信システムの図を示す。
【図２】図２は、例示的な一実施形態による送信機システム（アクセスネットワークとしても知られている）及び受信機システム（ユーザ機器又はＵＥとしても知られている）のブロック図である。
【図３】図３は、例示的な一実施形態による通信システムの機能ブロック図である。
【図４】図４は、例示的な一実施形態による図３のプログラムコードの機能ブロック図である。
【図５】図５は、例示的な一実施形態によるビームフォーミングの３つのタイプを示す図である。
【図６】図６は、３ＧＰＰ  ＴＳ  ３６．２１３  ｖ１３．１．１の表５．１．１．１−１の再現である。
【図７】図７は、３ＧＰＰ  ＴＳ  ３６．２１３  ｖ１３．１．１の表５．１．１．１−２の再現である。
【図８】図８は、３ＧＰＰ  ＴＳ  ３６．２１３  ｖ１３．１．１の表５．１．１．１−３の再現である。
【図９】図９は、３ＧＰＰ  ＴＳ  ３６．２１３  ｖ１３．１．１の表５．１．２．１−１の再現である。
【図１０】図１０は、３ＧＰＰ  ＴＳ  ３６．２１３  ｖ１３．１．１の表５．１．２．１−２の再現である。
【図１１】図１１は、３ＧＰＰ  ＴＳ  ３６．２１３  ｖ１３．１．１の表７．２．３−０の再現である。
【図１２】図１２は、３ＧＰＰ  ＴＳ  ３６．２１３  ｖ１３．１．１の表７．２．３−１の再現である。
【図１３】図１３は、３ＧＰＰ  ＴＳ  ３６．２１３  ｖ１３．１．１の表７．２．３−２の再現である。
【図１４】図１４は、３ＧＰＰ  ＴＳ  ３６．２１３  ｖ１３．１．１の表７．２．３−３の再現である。
【図１５】図１５は、例示的な一実施形態による図である。
【図１６】図１６は、例示的な一実施形態による図である。
【図１７】図１７は、例示的な一実施形態による図である。
【図１８】図１８は、例示的な一実施形態による、ユーザ機器の観点からのフローチャートである。
【図１９】図１９は、例示的な一実施形態による、ユーザ機器の観点からのフローチャートである。
【発明を実施するための形態】
【０００７】
以下で説明する例示的な無線通信システム及びデバイスは、ブロードキャストサービスをサポートする無線通信システムを使用する。無線通信システムは、広く配置されて、音声、データ等の様々なタイプの通信を提供する。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−Ａｄｖａｎｃｅｄ（ロングタームエボリューションアドバンスト）、３ＧＰＰ２  ＵＭＢ（ウルトラモバイルブロードバンド）、ＷｉＭａｘ又は何らかの他の変調技術に基づくことができる。
【０００８】
特に、以下で説明する例示的な無線通信システム及びデバイスは、R2-162366,  “Beam  Forming  Impacts”,  Nokia  and  Alcatel-Lucent、R2-163716,  “Discussion  on  terminology  of  beamforming  based  high  frequency  NR”,  Samsung、R2-162709,  “Beam  support  in  NR”,  Intel、R2-162762,  “Active  Mode  Mobility  in  NR:  SINR  drops  in  higher  frequencies”,  Ericsson、RP-150465,  “New  SI  proposal:  Study  on  Latency  reduction  techniques  for  LTE”,  Ericsson  and  Huawei及びTS  36.213  v13.1.1,  “E-UTRA  Physical  layer  procedures  (Release  13)”を含め、本明細書では３ＧＰＰと称される「第３世代パートナーシッププロジェクト」と名付けられたコンソーシアムによって勧められる規格など、１つ以上の規格をサポートするように設計され得る。上記に挙げた規格及び文書は、参照によりその全体が本明細書に援用される。
【０００９】
図１は、本発明の一実施形態による多元接続無線通信システムを示す。アクセスネットワーク１００（ＡＮ）は複数のアンテナグループを含み、１つのグループは１０４及び１０６を含み、他のグループは１０８及び１１０を含み、並びに追加のグループが１１２及び１１４を含む。図１では、各アンテナグループに対して２つのアンテナのみを示している。しかし、各アンテナグループに対してより多くの又はより少ないアンテナを利用することができる。アクセス端末１１６（ＡＴ）はアンテナ１１２及び１１４と通信状態にあり、ここでアンテナ１１２及び１１４はフォワードリンク１２０を介してアクセス端末１１６に情報を送信し、リバースリンク１１８を介してアクセス端末１１６から情報を受信する。アクセス端末（ＡＴ）１２２はアンテナ１０６及び１０８と通信状態にあり、ここでアンテナ１０６及び１０８はフォワードリンク１２６を介してアクセス端末（ＡＴ）１２２に情報を送信し、リバースリンク１２４を介してアクセス端末（ＡＴ）１２２から情報を受信する。ＦＤＤシステムでは、通信リンク１１８、１２０、１２４及び１２６は、通信のために異なる周波数を使用することができる。例えば、フォワードリンク１２０は、リバースリンク１１８によって使用される周波数とは異なる周波数を使用することができる。
【００１０】
各アンテナグループ及び／又はそれらのアンテナが通信するように設計される範囲は、アクセスネットワークのセクタと称されることが多い。本実施形態においては、各アンテナグループは、アクセスネットワーク１００によってカバーされる範囲のセクタにおいてアクセス端末に通信するように設計される。
【００１１】
フォワードリンク１２０及び１２６を介した通信では、アクセスネットワーク１００の送信アンテナは、異なるアクセス端末１１６及び１２２のためのフォワードリンクの信号対雑音比を改善するために、ビームフォーミング（beamforming）を利用することができる。また、ビームフォーミングを使用してそのカバレッジにわたってランダムに点在するアクセス端末に送信するアクセスネットワークは、単一のアンテナを通してすべてのアクセス端末に送信するアクセスネットワークよりも、隣接セル内のアクセス端末への干渉を少なくする。
【００１２】
アクセスネットワーク（ＡＮ）は、端末と通信するために使用される固定局又は基地局とすることができ、アクセスポイント、Ｎｏｄｅ  Ｂ、基地局、エンハンスド（enhanced）基地局、エボルブドＮｏｄｅ  Ｂ（ｅＮＢ）、又は何らかの他の専門用語で称されることもある。アクセス端末（ＡＴ）は、ユーザ機器（ＵＥ）、ワイヤレス通信デバイス、端末、アクセス端末又は何らかの他の専門用語で呼ばれることもある。
【００１３】
図２は、ＭＩＭＯシステム２００における送信機システム２１０（アクセスネットワークとしても知られる）及び受信機システム２５０（アクセス端末（ＡＴ）又はユーザ機器（ＵＥ）としても知られる）の実施形態の簡略ブロック図である。送信機システム２１０で、ある数のデータストリームについてのトラフィックデータが、データソース２１２から送信（ＴＸ）データプロセッサ２１４に提供される。
【００１４】
一実施形態においては、各データストリームはそれぞれの送信アンテナを介して送信される。ＴＸデータプロセッサ２１４は、各データストリームのためのトラフィックデータを、そのデータストリームのために選択される特定の符号化スキームに基づいてフォーマットし、符号化し、インタリーブして、符号化されたデータを提供する。
【００１５】
各データストリームについて符号化されたデータは、ＯＦＤＭ技術を使用してパイロットデータと多重化されることができる。パイロットデータは、代表的には、既知の方式で処理される既知のデータパターンであり、チャネル応答を推定するために受信機システムで使用されることができる。各データストリームについて多重化されたパイロット及び符号化されたデータは、次いでそのデータストリームに対して選択される特定の変調スキーム（例えば、ＢＰＳＫ、ＱＰＳＫ、Ｍ−ＰＳＫ又はＭ−ＱＡＭ）に基づいて変調（即ち、シンボルマッピング）されて、変調シンボルを提供する。各データストリームについてのデータレート、符号化及び変調は、プロセッサ２３０によって行われる命令によって決定されることができる。
【００１６】
すべてのデータストリームについての変調シンボルは、次いでＴＸ  ＭＩＭＯプロセッサ２２０に提供され、それは更に変調シンボルを（例えば、ＯＦＤＭの場合）処理することができる。ＴＸ  ＭＩＭＯプロセッサ２２０は、次いでＮＴ個の送信機（ＴＭＴＲ）２２２ａ〜２２２ｔにＮＴ個の変調シンボルストリームを提供する。特定の実施形態では、ＴＸ  ＭＩＭＯプロセッサ２２０は、データストリームのシンボル及びシンボルが送信されているアンテナにビームフォーミング重みを適用する。
【００１７】
各送信機２２２は、それぞれのシンボルストリームを受信し、処理して、１つ以上のアナログ信号を提供し、さらに、アナログ信号を調整して（例えば、増幅、フィルタリング、及びアップコンバート）、ＭＩＭＯチャネルを介した伝送に適した変調信号を提供する。送信機２２２ａ〜２２２ｔからのＮＴ個の変調信号は、次いで、ＮＴ個のアンテナ２２４ａ〜２２４ｔからそれぞれ送信される。
【００１８】
受信機システム２５０で、送信された変調信号はＮＲ個のアンテナ２５２ａ〜２５２ｒによって受信され、各アンテナ２５２から受信された信号はそれぞれ受信機（ＲＣＶＲ）２５４ａ〜２５４ｒに提供される。各受信機２５４は、それぞれ受信された信号を調整して（例えば、フィルタリング、増幅、及びダウンコンバート）、調整された信号をデジタル化してサンプルを提供し、更にサンプルを処理して、対応する「受信」シンボルストリームを提供する。
【００１９】
ＲＸデータプロセッサ２６０が、次いで特定の受信機処理技術に基づいて、ＮＲ個の受信機２５４からのＮＲ個の受信シンボルストリームを受信し、処理して、ＮＴ個の「検出」シンボルストリームを提供する。ＲＸデータプロセッサ２６０は、次いで各検出シンボルストリームを復調し、デインタリーブ（deinterleave）し、復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４によって行われる処理と相補的である。
【００２０】
プロセッサ２７０は、どのプリコーディング行列を使用するべきかを周期的に決定する（下記で論じる）。プロセッサ２７０は、行列インデックス部分及びランク値部分を含むリバースリンクメッセージ（reverse  link  message）を編成する。
【００２１】
リバースリンクメッセージは、通信リンク及び／又は受信データストリームに関する様々なタイプの情報を含むことができる。リバースリンクメッセージは、次いでデータソース２３６からある数のデータストリームについてのトラフィックデータも受信するＴＸデータプロセッサ２３８によって処理され、変調器２８０によって変調され、送信機２５４ａ〜２５４ｒによって調整され、送信機システム２１０に返信される。
【００２２】
送信機システム２１０で、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信されたリバースリンクメッセージを抽出する。プロセッサ２３０は、次いでビームフォーミング重みを決定するためにどのプリコーディング行列を使用するべきかを決定して、次いで抽出されたメッセージを処理する。
【００２３】
図３を参照すると、この図は、本発明の一実施形態による通信デバイスの代替の簡略機能ブロック図を示す。図３に示すように、無線通信システムにおける通信デバイス３００は、図１のＵＥ（若しくはＡＴ）１１６及び１２２又は図１の基地局（若しくはＡＮ）１００を実現するために利用することができ、無線通信システムは好ましくはＬＴＥシステムである。通信デバイス３００は、入力デバイス３０２、出力デバイス３０４、制御回路３０６、中央処理装置（ＣＰＵ）３０８、メモリ３１０、プログラムコード３１２、及び送受信機３１４を含むことができる。制御回路３０６は、ＣＰＵ３０８を通してメモリ３１０内のプログラムコード３１２を実行して、それによって通信デバイス３００の動作を制御する。通信デバイス３００は、キーボード、キーパッド等の入力デバイス３０２を通してユーザによって入力される信号を受信することができ、モニタ、スピーカ等の出力デバイス３０４を通して画像及び音を出力することができる。送受信機３１４は、無線信号を受信及び送信するために使用され、受信された信号を制御回路３０６に供給したり、制御回路３０６によって生成された信号を無線で出力する。無線通信システムにおける通信デバイス３００は、図１のＡＮ１００を実現するために利用することもできる。
【００２４】
図４は、本発明の一実施形態による図３に示したプログラムコード３１２の簡略ブロック図である。本実施形態では、プログラムコード３１２は、アプリケーションレイヤ４００、レイヤ３部分４０２、及びレイヤ２部分４０４を含み、レイヤ１部分４０６に結合される。レイヤ３部分４０２は、概して、無線リソース制御を行う。レイヤ２部分４０４は、概して、リンク制御を行う。レイヤ１部分４０６は、概して、物理的接続を行う。
【００２５】
３ＧＰＰ  Ｒ２−１６２３６６において議論されているように、より低い周波数帯（例えば、現在のＬＴＥ帯＜６ＧＨｚ）では、ダウンリンク共通チャネルを送信するためのワイドセクタビームを形成することによって、必要なセルカバレッジを提供することができる。しかし、より高い周波数（＞＞６ＧＨｚ）でワイドセクタビームを利用すると、同じアンテナ利得ではセルカバレッジが低減される。したがって、より高い周波数バンドで必要なセルカバレッジを提供するためには、増加したパスロスを補償するために、より高いアンテナ利得が必要とされる。ワイドセクタビームを介してアンテナ利得を増加させるため、より多いアンテナアレイ（数十から数百までのアンテナ素子の数）が高利得ビームを形成するために使用される。
【００２６】
高利得ビームはワイドセクタビームに比べて狭いため、ダウンリンク共通チャネルを送信するための複数のビームが、必要なセルエリアをカバーするために必要とされる。アクセスポイントが形成することができる同時高利得ビームの数は、利用する送受信機のアーキテクチャのコスト及び複雑さによって制限され得る。実際には、より高い周波数では、同時高利得ビームの数は、セルエリアをカバーするために必要なビームの総数よりもはるかに少ない。言い換えると、アクセスポイントは、任意の所与の時点でビームのサブセットを使用することによってセルエリアの一部のみをカバーすることが可能である。
【００２７】
３ＧＰＰ  Ｒ２−１６３７１６において議論されているように、ビームフォーミングは、概して、指向性信号の送信／受信のためにアンテナアレイで使用される信号処理技術である。ビームフォーミングによれば、特定の角度での信号が強め合う干渉を経験する一方で、他の信号が弱め合う干渉を経験するように、アンテナのフェーズドアレイ（phased  array）における素子を組み合わせることによって、ビームを形成することができる。複数のアンテナアレイを用いて、異なるビームを同時に利用することができる。
【００２８】
ビームフォーミングは、概して、３つのタイプの実装に分類することができる。デジタルビームフォーミング、ハイブリッドビームフォーミング及びアナログビームフォーミングである。デジタルビームフォーミングの場合、ビームはデジタル領域で生成される。すなわち、各アンテナ素子の重み付けを、ベースバンド（例えば、ＴＸＲＵ（送受信機ユニット）に接続されている）によって制御することができる。したがって、各サブバンドのビーム方向をシステムの帯域幅に渡って異なるように調整することは非常に容易である。また、ビーム方向を時々変更するのに、ＯＦＤＭ（直交周波数分割多重）シンボル間でスイッチング時間が必要とされない。方向が全カバレッジをカバーするすべてのビームを同時に生成することができます。しかし、この構造は、ＴＸＲＵ（送受信機／ＲＦチェーン）とアンテナ素子との間に（ほぼ）１対１のマッピングを必要とし、アンテナ素子の数が増加し、システム帯域幅が増加する（熱の問題も存在する）ため、この構造がかなり複雑になる。
【００２９】
アナログビームフォーミングの場合、ビームはアナログ領域で生成される。すなわち、各アンテナ素子の重み付けを、ＲＦ（無線周波数）回路内の振幅／位相シフタによって制御することができる。重み付けを純粋に回路によって制御するため、同じビーム方向がシステム帯域幅全体に適用される。また、ビーム方向を変更すべき場合は、スイッチング時間が必要とされる。アナログビームフォーミングによって同時に生成されるビームの数は、ＴＸＲＵの数に依存する。所与のサイズのアレイに対して、ＴＸＲＵが増加すると、各ビームのアンテナ素子を減少させ、それにより、より広いビームが生成される可能性があることに留意されたい。要するに、アナログビームフォーミングは、デジタルビームフォーミングの複雑さ及び熱問題を回避することができる、一方、動作がより制限される。ハイブリッドビームフォーミングは、アナログビームフォーミングとデジタルビームフォーミングの間の妥協点として検討することができる。ここで、ビームはアナログ領域及びデジタル領域の両方から来ることができる。３つのタイプのビームフォーミングを図５に示す。
【００３０】
３ＧＰＰ  Ｒ２−１６２７０９において議論されているように、ｅＮＢ（エボルブドＮｏｄｅ  Ｂ）は、複数のＴＲＰ（集中型又は分散型のいずれか一方）を有し得る。各ＴＲＰは、複数のビームを形成し得る。ビームの数及び時間／周波数領域における同時ビームの数は、ＴＲＰでのアンテナアレイ素子の数及びＲＦ（無線周波数）に依存する。
【００３１】
ＮＲの場合の可能性のあるモビリティタイプは次のように列挙することができる。
・ＴＲＰ内（Intra-TRP）モビリティ
・ＴＲＰ間（Inter-TRP）モビリティ
・ＮＲ  ｅＮＢ間（Inter-NR  eNB）モビリティ
【００３２】
３ＧＰＰ  Ｒ２−１６２７６２において議論されているように、カバレッジは時間及び空間の両方の変動に対してより敏感であり得るため、ビームフォーミングに純粋に依存し、より高い周波数で動作するシステムの信頼性は挑戦的なものとなるかもしれない。結果として、狭いリンクのＳＩＮＲ（信号対干渉雑音比）は、ＬＴＥの場合よりもはるかに急速に低下する可能性がある。
【００３３】
アクセスノードで数百の数の素子を備えるアンテナアレイを使用して、ノード当たり数十又は数百の候補ビームを備えるかなり規則的なグリッドオブビーム（grid-of-beam）カバレッジパターンを作成し得る。そのようなアレイからの個々のビームのカバレッジエリアは、場合によっては、幅数十メートルのオーダーにまで小さくなり得る。結果として、現在のサービングビームエリアの外側のチャネル品質は、ＬＴＥによって提供されるようなワイドエリアカバレッジの場合よりも、急速に低下する。
【００３４】
ＲＡＮ１＃８５会議における、ビームフォーミングについてのいくつかの合意は以下の通りである。
・  ＮＲにおいて次の３つのビームフォーミングの実装が検討されるべきである。
−  アナログビームフォーミング（Analog  beamforming）
−  デジタルビームフォーミング（Digital  beamforming）
−  ハイブリッドビームフォーミング（Hybrid  beamforming）
−  注：ＮＲのための物理レイヤ手順設計は、ＴＲＰ／ＵＥで使用されるビームフォーミング実装に関してＵＥ／ＴＲＰに不可知論的（agnostic）とすることができるが、効率を失わないようにビームフォーミング実装固有の最適化を追求し得る。
・  ＲＡＮ１は、これらのチャネル／信号／測定／フィードバックのためにマルチビームベースアプローチとシングルビームベースアプローチの両方を検討する。
−  初期アクセス信号（同期信号及びランダムアクセスチャネル）
−  システム情報配信
−  ＲＲＭ測定／フィードバック
−  Ｌ１制御チャネル
−  その他についてはさらに検討する。
−  注：ＮＲのための物理レイヤ手順設計は、スタンドアロンの初期アクセス手順において少なくとも同期信号検出のためにＴＲＰでマルチビームベースアプローチ又はシングルビームベースアプローチが採用されるかどうかを可能な限り統一することができる。
−  注：シングルビームアプローチは、マルチビームアプローチの特殊な場合とすることができる。
−  注：シングルビームアプローチ及びマルチビームアプローチの個別の最適化が可能である。
・  マルチビームベースアプローチ
−  マルチビームベースのアプローチでは、ＴＲＰ／ＵＥのＤＬカバレッジエリア及び／又はＵＬカバレッジ距離をカバーするために複数のビームが使用される。
−  マルチビームベースアプローチの一例は、ビーム掃引である。
・  信号（又はチャンネル）に対してビーム掃引が適用されると、信号（チャンネル）は、有限の持続時間（time  duration）において複数の時間インスタンス上にある複数のビームで送信／受信される。
−  単一／複数のビームを単一の時間インスタンスにおいて送信／受信することができる。
−  その他についてはさらに検討する。
・  シングルビームベースアプローチ
−  シングルビームベースアプローチでは、ＬＴＥセル固有チャネル／ＲＳの場合と同様に、ＴＲＰ／ＵＥのＤＬカバレッジエリア及び／又はＵＬカバレッジ距離をカバーするために単一のビームが使用される。
・  シングルビームベースアプローチとマルチビームベースアプローチのいずれの場合でも、ＲＡＮ１は次の事項を追加的に考慮することができる。
−  パワーブースティング
−  ＳＦＮ
−  繰り返し
−  ビームダイバーシティ（マルチビームアプローチの場合のみ）
−  アンテナダイバーシティ
−  他のアプローチは排除されない
・  シングルビームベースアプローチとマルチビームベースアプローチの組み合わせは排除されない
同意事項：
・  ＲＡＮ１は少なくともマルチビームベースアプローチについてのビームフォーミング手順とそれによるシステムへの影響を検討する。
−  マルチビームベースアプローチ及びシングルビームベースアプローチにおけるオーバヘッド、レイテンシ等の異なるメトリックを最適化するビームフォーミングのための物理レイヤ手順
−  ビーム訓練を必要とするマルチビームベースアプローチにおける物理レイヤ手順、すなわち送信器ビーム及び／又は受信ビームのステアリング
・  例：周期的／非周期的なダウンリンク／アップリンクＴＸ／ＲＸビーム掃引信号。ここで、周期的な信号を半静的又は動的に構成してもよい（ＦＦＳ）。
・  例：  ＵＬ音信号
・  他の例は排除されない
同意事項：
・  ＴＲＰ内とＴＲＰ間の両方のビームフォーミング手順を考慮する。
・  ビームフォーミング手順は、ＴＲＰビームフォーミング／ビーム掃引の有無及びＵＥビームフォーミング／ビーム掃引の有無に関わらず、次の潜在的な使用事例に応じて考慮される。
−  ＵＥ移動、ＵＥ回転、ビームブロッキング：
・  ＴＲＰでのビームの変化、ＵＥでの同じビーム
・  ＴＲＰでの同じビーム、ＵＥのビームの変化
・  ＴＲＰでのビームの変化、ＵＥでのビームの変化
−  他の場合は排除されない
【００３５】
ビーム動作及びＴＲＰのサポートにより、セルは、ＵＥをスケジューリングするために複数の選択肢を有することができる。例えば、同じデータをＵＥに送信するＴＲＰからの複数のビームが存在し得り、これは送信の信頼性をより高くすることができる。代替的には、複数のＴＲＰからの複数のビームが同じデータをＵＥに送信する。スループットを向上させるために、単一のＴＲＰがＵＥに対して異なるビーム上で異なるデータを送信することも可能である。また、複数のＴＲＰが、ＵＥに対して異なるビーム上で異なるデータをＵＥに送信することができる。
【００３６】
ＬＴＥシステムにおいては、ＵＬ伝送電力は複数のファクタによって決定される。ここで、ファクタの１つはＤＬパスロスである。概して、パスロスはＣＲＳ測定から導出することができる。より詳細な情報は、次のように、３ＧＰＰ  ＴＳ  ３６．２１３の第５セクションに見出すことができる。
５  電力制御
ダウンリンク電力制御は、リソース要素当たりのエネルギー（ＥＰＥＲ：Energy  Per  Resource  Element）を決定する。リソース要素エネルギーという用語は、ＣＰ挿入前のエネルギーを示す。リソース要素エネルギーという用語は、適用された変調方式のためのすべての配置点（constellation  point）にわたって取られた平均エネルギーも示す。アップリンク電力制御は、物理チャネルが送信されるＳＣ−ＦＤＭＡシンボル上の平均電力を決定する。
５．１  アップリンク電力制御
アップリンク電力制御は、異なるアップリンク物理チャネルの伝送電力を制御する。
ＰＵＳＣＨの場合、５．１．１項で定義される伝送電力
（外１）
2020022206.tif 000003
は、伝送スキームのために構成されたアンテナポートの数に対する非ゼロＰＵＳＣＨ送信を伴うアンテナポートの数の比によって最初にスケーリングされる。その結果得られたスケーリングされた電力は、次いで、非ゼロのＰＵＳＣＨが送信されるアンテナポートにわたって均等に分割される。
ＰＵＣＣＨ又はＳＲＳの場合、５．１．１．１項で定義される伝送電力
（外２）
2020022206.tif 000004
又は、
（外３）
2020022206.tif 000005
は、ＰＵＣＣＨ又はＳＲＳのために構成されたアンテナポートにわたって均等に分割される。
（外４）
2020022206.tif 000006
は、５．１．３項で定義されるＰＳＲＳ，ｃ（ｉ）の線形値である。セルワイド過負荷指標（cell  wide  overload  indicator：ＯＩ）及びＵＬ干渉を制御する高干渉指標（High  Interference  Indicator：ＨＩＩ）が、［９］で定義される。
フレーム構造タイプ１を有するサービングセルの場合、ＵＥがUplinkPowerControlDedicated-v12x0で構成されることは見込まれていない。
５．１．１  物理アップリンク共有チャネル
ＵＥがＳＣＧで構成される場合、ＵＥは、ＭＣＧとＳＣＧのいずれに対してもこの項で説明する手順を適用しなければならない
−  この手順をＭＣＧに適用する場合、この項の「セカンダリセル」、「複数のセカンダリセル」、「サービングセル」、「複数のサービングセル」という用語は、それぞれ、ＭＣＧに属するセカンダリセル、複数のセカンダリセル、サービングセル、複数のサービングセルを指す。
−  この手順をＳＣＧに適用する場合、この項の「セカンダリセル」、「複数のセカンダリセル」、「サービングセル」、「複数のサービングセル」という用語は、それぞれ、ＳＣＧに属するセカンダリセル、複数のセカンダリセル（ＰＳＣｅｌｌを除く）、サービングセル、複数のサービングを指す。この項の「プライマリセル」という用語は、ＳＣＧのＰＳＣｅｌｌを指す。
ＵＥがＰＵＣＣＨ−ＳＣｅｌｌで構成される場合、ＵＥは、プライマリＰＵＣＣＨグループとセカンダリＰＵＣＣＨグループのいずれに対してもこの項で説明する手順を適用しなければならない。
−  この手順をプライマリＰＵＣＣＨグループに適用する場合、この項の「セカンダリセル」、「複数のセカンダリセル」、「サービングセル」、「複数のサービングセル」という用語は、それぞれ、プライマリＰＵＣＣＨグループに属するセカンダリセル、複数のセカンダリセル、サービングセル、複数のサービングセルを指す。
−  この手順をセカンダリＰＵＣＣＨグループに適用する場合、この項の「セカンダリセル」、「複数のセカンダリセル」、「サービングセル」、「複数のサービングセル」という用語は、それぞれ、セカンダリＰＵＣＣＨグループに属するセカンダリセル、複数のセカンダリセル、サービングセル、複数のサービングセルを指す。
５．１．１．１  ＵＥ挙動
物理アップリンク共有チャネル（ＰＵＳＣＨ）伝送のためのＵＥ伝送電力の設定は、次のように定義される。
ＵＥがサービングセルｃに対して同時ＰＵＣＣＨなしのＰＵＳＣＨを送信する場合、サービングセルｃに対するサブフレームｉにおけるＰＵＳＣＨ送信のためのＵＥ伝送電力ＰＰＵＳＣＨ，ｃ（ｉ）は、
【数１】
2020022206.tif 000007
で与えられる。ＵＥがサービングセルｃに対して同時ＰＵＣＣＨありのＰＵＳＣＨを送信する場合、サービングセルｃに対するサブフレームｉにおけるＰＵＳＣＨ送信のためのＵＥ伝送電力ＰＰＵＳＣＨ，ｃ（ｉ）は、
【数２】
2020022206.tif 000008
で与えられる。ＵＥがサービングセルｃに対してＰＵＳＣＨを送信していない場合、ＵＥは、ＰＵＳＣＨに対してＤＣＩフォーマット３／３Ａで受信されたＴＰＣコマンドの累積のために、サービングセルｃに対するサブフレームｉにおけるＰＵＳＣＨ送信のためのＵＥ伝送電力ＰＰＵＳＣＨ，ｃ（ｉ）が
【数３】
2020022206.tif 000009
によって計算される。ここで、
−  ＰＣＭＡＸ，ｃ（ｉ）は、サービングセルｃに対するサブフレームｉにおいて［６］で定義される構成済ＵＥ伝送電力であり、
（外５）
2020022206.tif 000010
は、ＰＣＭＡＸ，ｃ（ｉ）の線形値である。ＵＥがサービングセルｃに対するサブフレームｉにおいてＰＵＳＣＨなしのＰＵＣＣＨを送信する場合、ＰＵＳＣＨに対してＤＣＩフォーマット３／３Ａで受信されたＴＰＣコマンドの累積のために、ＵＥは５．１．２．１項で与えられるＰＣＭＡＸ，ｃ（ｉ）を仮定する。ＵＥがサービングセルｃに対するサブフレームｉにおいてＰＵＣＣＨ及びＰＵＳＣＨを送信しない場合、ＰＵＳＣＨに対してＤＣＩフォーマット３／３Ａで受信されたＴＰＣコマンドの累積のために、ＵＥは、ＭＰＲ＝０ｄＢ、Ａ−ＭＰＲ＝０ｄＢ、Ｐ−ＭＰＲ＝０ｄＢおよびΔＴＣ＝  ０ｄＢと仮定して、ＰＣＭＡＸ，ｃ（ｉ）を計算する。ここで、ＭＰＲ、Ａ−ＭＰＲ、Ｐ−ＭＰＲ及びΔＴＣは［６］で定義される。
−  
（外６）
2020022206.tif 000011
は、５．１．２．１項で定義されるＰＰＵＣＣＨ（ｉ）の線形値である。
−  ＭＰＵＳＣＨ，ｃ（ｉ）は、サブフレームｉ及びサービングセルｃに対して有効なリソースブロックの数で表されるＰＵＳＣＨリソース割り当ての帯域幅である。
−  ＵＥがサービングセルｃに対して上位レイヤのパラメータUplinkPowerControlDedicated-v12x0で構成され、かつ上位レイヤのパラメータtpc-SubframeSet-r12によって示されるように、サブフレームｉがアップリンク電力制御サブフレームセット２に属する場合、
−  ｊ＝０のとき、ＰＯ＿ＰＵＳＣＨ，ｃ（０）＝ＰＯ＿ＵＥ＿ＰＵＳＣＨ，ｃ，２（０）＋ＰＯ＿ＮＯＭＩＮＡＬ＿ＰＵＳＣＨ，ｃ，２（０）である。ここで、ｊ＝０は、セミパーシステントグラントに対応するＰＵＳＣＨ（再）送信に使用される。ＰＯ＿ＵＥ＿ＰＵＳＣＨ，ｃ，２（０）及びＰＯ＿ＮＯＭＩＮＡＬ＿ＰＵＳＣＨ，ｃ，２（０）は、各サービングセルｃに対して上位レイヤによってそれぞれ提供されるパラメータp0-UE-PUSCH-Persistent-SubframeSet2-r12及びp0-NominalPUSCH-Persistent-SubframeSet2-r12である。
−  ｊ＝１のとき、ＰＯ＿ＰＵＳＣＨ，ｃ（１）＝ＰＯ＿ＵＥ＿ＰＵＳＣＨ，ｃ，２（１）＋ＰＯ＿ＮＯＭＩＮＡＬ＿ＰＵＳＣＨ，ｃ，２（１）である。ここで、ｊ＝１は、動的スケジューリンググラントに対応するＰＵＳＣＨ（再）送信に使用される。ＰＯ＿ＵＥ＿ＰＵＳＣＨ，ｃ，２（１）及びＰＯ＿ＮＯＭＩＮＡＬ＿ＰＵＳＣＨ，ｃ，２（１）は、各サービングセルｃに対して上位レイヤによってそれぞれ提供されるパラメータp0-UE-PUSCH- SubframeSet2-r12及びp0-NominalPUSCH-Persistent-SubframeSet2-r12である。
−  ｊ＝２のとき、ＰＯ＿ＰＵＳＣＨ，ｃ（２）＝ＰＯ＿ＵＥ＿ＰＵＳＣＨ，ｃ（２）＋ＰＯ＿ＮＯＭＩＮＡＬ＿ＰＵＳＣＨ，ｃ（２）である。ここで、ＰＯ＿ＵＥ＿ＰＵＳＣＨ，ｃ（２）＝０であり、ＰＯ＿ＮＯＭＩＮＡＬ＿ＰＵＳＣＨ，ｃ（２）＝ＰＯ＿ＰＲＥ＋ΔＰＲＥＡＭＢＬＥ＿Ｍｓｇ３であり、パラメータpreambleInitialReceivedTargetPower［８］（ＰＰＯ＿ＰＲＥ）及びΔＰＲＥＡＭＢＬＥ＿Ｍｓｇ３は、サービングセルｃに対して上位レイヤからシグナリングされ、ｊ＝２はランダムアクセス応答グラントに対応するＰＵＳＣＨ（再）送信に使用される。
それ以外の場合、
−  ＰＯ＿ＰＵＳＣＨ，ｃ（ｊ）は、サービングセルｃに対して、ｊ＝０及び１についての上位レイヤから提供されるコンポーネントＰＯ＿ＮＯＭＩＮＡＬ＿ＰＵＳＣＨ，ｃ（ｊ）と、ｊ＝０及び１についての上位レイヤから提供されるコンポーネントＰＯ＿ＵＥ＿ＰＵＳＣＨ，ｃ（ｊ）との和で構成されるパラメータである。セミパーシステントグラントに対応するＰＵＳＣＨ（再）送信の場合、ｊ＝０であり、動的スケジューリンググラントに対応するＰＵＳＣＨ（再）送信の場合、ｊ＝１であり、ランダムアクセス応答グラントに対応するＰＵＳＣＨ（再）送信の場合、ｊ＝２である。ＰＯ＿ＵＥ＿ＰＵＳＣＨ，ｃ（２）＝０であり、ＰＯ＿ＮＯＭＩＮＡＬ＿ＰＵＳＣＨ，ｃ（２）＝ＰＯ＿ＰＲＥ＋ΔＰＲＥＡＭＢＬＥ＿Ｍｓｇ３であり、パラメータpreambleInitialReceivedTargetPower［８］（ＰＰＯ＿ＰＲＥ）及びΔＰＲＥＡＭＢＬＥ＿Ｍｓｇ３は、サービングセルｃに対して上位レイヤからシグナリングされる。
−  ＵＥがサービングセルｃに対して上位レイヤのパラメータUplinkPowerControlDedicated-v12x0で構成され、かつ上位レイヤのパラメータtpc-SubframeSet-r12によって示されるように、サブフレームｉがアップリンク電力制御サブフレームセット２に属する場合、
−  ｊ＝０又は１の場合、αｃ（ｊ）＝αｃ，２∈｛０，０．４，０．５，０．６，０．７，０．８，０．９，１｝である。αｃ，２は、各サービングセルｃに対して上位レイヤによって提供されるパラメータalpha-SubframeSet2-r12である。
−  ｊ＝  ２の場合、αｃ（ｊ）＝１である。
それ以外の場合、
−  ｊ＝０又は１の場合、αｃ∈｛０，０．４，０．５，０．６，０．７，０．８，０．９，１｝は、サービングセルｃに対して上位のレイヤによって提供される３ビットパラメータである。ｊ＝２の場合、αｃ（ｊ）＝１である。
−  ＰＬｃは、サービングセルｃに対してＵＥにおいて計算されたｄＢ単位でのダウンリンクパスロス推定値であり、ＰＬｃ＝referenceSignalPower−（上位レイヤでフィルタリングされたＲＳＲＰ）であり、referenceSignalPowerは上位レイヤによって提供され、ＲＳＲＰは、基準サービングセルに対して［５］で定義され、上位レイヤのフィルタ構成は、基準サービングセルに対して［１１］で定義される。
−  サービングセルｃがプライマリセルを含むＴＡＧに属する場合、プライマリセルのアップリンクに対して、プライマリセルは、referenceSignalPower及び上位レイヤでフィルタリングされたＲＳＲＰを決定するための基準サービングセルとして使用される。セカンダリセルのアップリンクについては、［１１］で定義された上位レイヤのパラメータpathlossReferenceLinkingによって構成されたサービングセルは、referenceSignalPower及び上位レイヤでフィルタリングされたＲＳＲＰを決定するための基準サービングセルとして使用される。
−  サービングセルｃがＰＳＣｅｌｌを含むＴＡＧに属する場合、ＰＳＣｅｌｌのアップリンクに対して、ＰＳＣｅｌｌは、referenceSignalPower及び上位レイヤでフィルタリングされたＲＳＲＰを決定するための基準サービングセルとして使用される。ＰＳＣｅｌｌ以外のセカンダリセルのアップリンクについては、［１１］で定義された上位レイヤのパラメータpathlossReferenceLinkingによって構成されたサービングセルは、referenceSignalPower及び上位レイヤでフィルタリングされたＲＳＲＰを決定するための基準サービングセルとして使用される。
−  サービングセルｃがプライマリセルや、ＰＳＣｅｌｌを含まないＴＡＧに属する場合、サービングセルｃは、referenceSignalPower及び上位レイヤでフィルタリングされたＲＳＲＰを決定するための基準サービングセルとして使用される。
−  ＫＳ＝１．２５の場合及びＫｓ＝０の場合は、
【数４】
2020022206.tif 000012
であり、ここで、ＫＳは、各サービングセルｃに対して上位レイヤによって提供されるパラメータdeltaMCS-Enabledにより与えられる。ＢＰＲＥ及び
（外７）
2020022206.tif 000013
は、各サービングセルｃに対して以下のように計算される。伝送モード２の場合、ＫＳ＝０である。
−  ＵＬ−ＳＣＨデータなしのＰＵＳＣＨを介して送信される制御データの場合、ＢＰＲＥ＝ＯＣＱＩ／ＮＲＥであり、他の場合、
【数５】
2020022206.tif 000014
である。
−  ここで、Ｃはコードブロック数であり、Ｋｒはコードブロックｒのサイズであり、ＯＣＱＩはＣＲＣビットを含むＣＱＩ／ＰＭＩビット数であり、ＮＲＥは、
【数６】
2020022206.tif 000015
として決定されるリソース要素の数である。ここで、Ｃ、Ｋｒ、
（外８）
2020022206.tif 000016
び
（外９）
2020022206.tif 000017
は、［４］で定義される。
−  ＵＬ−ＳＣＨデータなしのＰＵＳＣＨを介して送信される制御データの場合、
【数７】
2020022206.tif 000018
であり、他の場合、１である。
−  δＰＵＳＣＨ，ｃは、ＴＰＣコマンドとも称される補正値であり、サービングセルｃに対してＤＣＩフォーマット０／４を有するＰＤＣＣＨ／ＥＰＤＣＣＨ又はＤＣＩフォーマット６−０Ａを有するＭＰＤＣＣＨ、あるいはＣＲＣパリティビットがＴＰＣ−ＰＵＳＣＨ−ＲＮＴＩでスクランブルされたＤＣＩフォーマット３／３Ａを有するＰＤＣＣＨ／ＭＰＤＣＣＨ内の他のＴＰＣコマンドと共に共同で（jointly）符号化される。ＵＥがサービングセルｃに対して上位レイヤのパラメータUplinkPowerControlDedicated-v12x0で構成され、かつ上位レイヤのパラメータtpc-SubframeSet-r12によって示されるように、サブフレームｉがアップリンク電力制御サブフレームセット２に属する場合、サービングセルｃに対する現在のＰＵＳＣＨ電力制御調整状態はｆｃ，２（ｉ）で与えられ、ＵＥはｆｃ（ｉ）の代わりにｆｃ，２（ｉ）を使用して、ＰＰＵＳＣＨ，ｃ（ｉ）を決定するものとする。それ以外の場合、サービングセルｃに対する現在のＰＵＳＣＨ電力制御調整状態は、ｆｃ（ｉ）で与えられる。ｆｃ，２（ｉ）及びｆｃ（ｉ）は、次により定義される
―  上位レイヤによって提供されるパラメータAccumulation-enabledに基づいて累積が有効にされる場合又はＴＰＣコマンドδＰＵＳＣＨ，ｃがサービングセルｃに対して、ＤＣＩフォーマット０を有するＰＤＣＣＨ／ＥＰＤＣＣＨ若しくはＤＣＩフォーマット６−０Ａを有するＭＰＤＣＣＨに含まれる場合、
【数８】
2020022206.tif 000019
及び
【数９】
2020022206.tif 000020
であり、ＣＲＣは、一時Ｃ−ＲＮＴＩによってスクランブルされる。
−  ここで、δＰＵＳＣＨ，ｃ（ｉ−ＫＰＵＳＣＨ）は、サブフレームｉ−ＫＰＵＳＣＨ上のＤＣＩフォーマット０／４を有するＰＤＣＣＨ／ＥＰＤＣＣＨ、ＤＣＩフォーマット６−０Ａを有するＭＰＤＣＣＨ又はＤＣＩフォーマット３／３Ａを有するＰＤＣＣＨ／ＭＰＤＣＣＨでシグナリングされている。ここで、ｆｃ（０）は累積リセット後の最初の値である。ＣＥＭｏｄｅＡで構成されたＢＬ／ＣＥ  ＵＥの場合、サブフレームｉ−ＫＰＵＳＣＨは、ＤＣＩフォーマット６−０Ａを有するＭＰＤＣＣＨ又はＤＣＩフォーマット３／３Ａを有するＭＰＤＣＣＨが送信される最後のサブフレームである。
−  ＫＰＵＳＣＨの値は、
−  ＦＤＤ又はＦＤＤ−ＴＤＤ及びサービングセルフレーム構造タイプ１の場合、ＫＰＵＳＣＨ＝４である。
−  ＴＤＤの場合、ＵＥが２つ以上のサービングセルで構成され、少なくとも２つの構成済みサービングセルのＴＤＤ  ＵＬ／ＤＬ構成が同じでない場合、若しくはＵＥが少なくとも１つのサービングセルに対してパラメータEIMTA-MainConfigServCell-r12で構成される場合、又はＦＤＤ−ＴＤＤ及びサービングセルフレーム構造タイプ２の場合、「ＴＤＤ  ＵＬ／ＤＬ構成」は、サービングセルｃに対するＵＬ基準ＵＬ／ＤＬ構成（８．０節で定義される）を指す。
−  ＴＤＤ  ＵＬ  ／  ＤＬ構成１−６の場合、ＫＰＵＳＣＨは表５．１．１．１−１で与えられる。
−  ＴＤＤ  ＵＬ  ／  ＤＬ構成０の場合、
−  サブフレーム２又は７のＰＵＳＣＨ伝送が、ＵＬインデックスのＬＳＢが１に設定された、ＤＣＩフォーマット０／４のＰＤＣＣＨ／ＥＰＤＣＣＨ又はＤＣＩフォーマット６−０ＡのＭＰＤＣＣＨでスケジューリングされる場合、ＫＰＵＳＣＨ＝７である。
−  他のすべてのＰＵＳＣＨ伝送の場合、ＫＰＵＳＣＨは表５．１．１．１−１で与えられる。
−  サービングセルｃ及び非ＢＬ／ＣＥ  ＵＥの場合、ＵＥは、ＤＲＸにいるとき又はサービングセルｃが非アクティブ化されている場合を除き、すべてのサブフレームにおいて、ＵＥのＣ−ＲＮＴＩを用いたＤＣＩフォーマット０／４若しくはＳＰＳ  Ｃ−ＲＮＴＩに対するＤＣＩフォーマット０のＰＤＣＣＨ／ＥＰＤＣＣＨ又はＵＥのＴＲＣ−ＰＵＳＣＨ−ＲＮＴＩを用いたＤＣＩフォーマット３／３ＡのＰＤＣＣＨ／ＥＰＤＣＣＨを復号することを試みる。
−  サービングセルｃ及びＣＥＭｏｄｅＡで構成されたＢＬ／ＣＥ  ＵＥの場合、ＵＥは、ＤＲＸにいるときを除くすべてのＢＬ／ＣＥダウンリンクサブフレームにおいて、ＵＥのＣ−ＲＮＴＩ又はＳＰＳ  Ｃ−ＲＮＴＩを用いたＤＣＩフォーマット６−０ＡのＭＰＤＣＣＨと、このＵＥのＴＰＣ−ＰＵＳＣＨ−ＲＮＴＩを用いたＤＣＩフォーマット３／３ＡのＭＰＤＣＣＨを復号することを試みる。
−  非ＢＬ／ＣＥ  ＵＥの場合、サービングセルｃに対するＤＣＩフォーマット０／４及びＤＣＩフォーマット３／３Ａが同じサブフレームで両方とも検出された場合、ＵＥはＤＣＩフォーマット０／４で提供されるδＰＵＳＣＨ，ｃを使用するものとする。
−  ＣＥＭｏｄｅＡで構成されたＢＬ／ＣＥ  ＵＥの場合、サービングセルｃに対するＤＣＩフォーマット６−０Ａ及びＤＣＩフォーマット３／３Ａが同じサブフレームで両方とも検出された場合、ＵＥはＤＣＩフォーマット６−０Ａで提供されるδＰＵＳＣＨ，ｃを使用するものとする。
−  サブフレームｃに対して復号されるＴＰＣコマンドがない、あるいはＴＤＤ又はＦＤＤ−ＴＤＤにおいてＤＲＸが発生するか、ｉがアップリンクサブフレームではなく、サービングセルｃフレーム構造タイプ２であるサブフレームの場合、δＰＵＳＣＨ，ｃ＝０ｄＢである。
−  ＤＣＩフォーマット０／４を有するＰＤＣＣＨ／ＥＰＤＣＣＨ又はＤＣＩフォーマット６−０Ａを有するＭＰＤＣＣＨでシグナリングされた累積値δＰＵＳＣＨ，ｃｄＢが表５．１．１．１−２で与えられる。ＤＣＩフォーマット０を有するＰＤＣＣＨ／ＥＰＤＣＣＨ又はＤＣＩフォーマット６−０Ａを有するＭＰＤＣＣＨを有するＰＤＣＣＨ／ＥＰＤＣＣＨが、ＳＰＳ起動又はＰＤＣＣＨ／ＥＰＤＣＣＨ／ＭＰＤＣＣＨの解除として有効化された場合、δＰＵＳＣＨ，ｃは０ｄＢである。
−  ＤＣＩフォーマット３／３Ａを有するＰＤＣＣＨ／ＭＰＤＣＣＨでシグナリングされた累積値δＰＵＳＣＨ，ｃｄＢは、上位レイヤによって提供されるパラメータTPC-Indexによって決定される表５．１．１．１−２で与えられるＳＥＴ１又は表５．１．１．１−３で与えられるＳＥＴ２のうちの１つである。
−  ＵＥがサービングセルｃに対してＰＣＭＡＸ，ｃ（ｉ）に到達した場合、サービングセルｃに対する正のＴＰＣコマンドは累積されないものとする。
−  ＵＥが最小電力に達した場合、負のＴＰＣコマンドは累積されないものとする。
−  ＵＥがサービングセルｃに対して上位レイヤのパラメータUplinkPowerControlDedicated-v12x0で構成されていない場合、ＵＥは累積をリセットするものとする。
−  サービングセルｃに対して、値ＰＯ＿ＵＥ＿ＰＵＳＣＨ，ｃが上位レイヤによって変更されたとき
−  サービングセルｃに対して、ＵＥがサービングセルｃに対するランダムアクセス応答メッセージを受信したとき
−  ＵＥがサービングセルｃに対して上位レイヤのパラメータUplinkPowerControlDedicated-v12x0で構成される場合、
−  ＵＥは、サービングセルｃに対するｆｃ（＊）に対応する累積をリセットするものとする。
−  値ＰＯ＿ＵＥ＿ＰＵＳＣＨ，ｃが上位レイヤによって値が変更されたとき
−  ＵＥがサービングセルｃに対するランダムアクセス応答メッセージを受信したとき
−  ＵＥは、サービングセルｃに対するｆｃ，２（＊）に対応する累積をリセットするものとする。
−  値ＰＯ＿ＵＥ＿ＰＵＳＣＨ，ｃ，２が上位レイヤよって値が変更されたとき
−  ＵＥがサービングセルｃに対して上位レイヤのパラメータUplinkPowerControlDedicated-v12x0で構成される場合、
−  上位レイヤのパラメータtpc-SubframeSet-r12によって示されるように、サブフレームｉがアップリンク電力制御サブフレームセット２に属する場合、ｆｃ（ｉ）＝ｆｃ（ｉ−１）である。
−  上位レイヤのパラメータtpc-SubframeSet-r12によって示されるように、サブフレームｉがアップリンク電力制御サブフレームセット２に属さない場合、ｆｃ，２（ｉ）＝ｆｃ，２（ｉ−１）である。
−  上位レイヤのパラメータAccumulation-enabledに基づいて、サービングセルｃに対して累積が有効でない場合、ｆｃ（ｉ）＝δＰＵＳＣＨ，ｃ（ｉ−ＫＰＵＳＣＨ）及びｆｃ，２（ｉ）＝δＰＵＳＣＨ，ｃ（ｉ−ＫＰＵＳＣＨ）である。
−  δＰＵＳＣＨ，ｃ（ｉ−ＫＰＵＳＣＨ）は、サブフレームｉ−ＫＰＵＳＣＨ上でサービングセルｃに対して、ＤＣＩフォーマット０／４を有するＰＤＣＣＨ／ＥＰＤＣＣＨ又はＤＣＩフォーマット６−０Ａを有するＭＰＤＣＣＨでシグナリングされている。ＣＥＭｏｄｅＡで構成されたＢＬ／ＣＥ  ＵＥの場合、サブフレームｉ−ＫＰＵＳＣＨは、ＤＣＩフォーマット６−０Ａを有するＭＰＤＣＣＨ又はＤＣＩフォーマット３／３Ａを有するＭＰＤＣＣＨが送信される最後のサブフレームである。
−  ＫＰＵＳＣＨの値は
−  ＦＤＤ又はＦＤＤ−ＴＤＤ及びサービングセルフレーム構造タイプ１の場合、ＫＰＵＳＣＨ＝４
−  ＴＤＤの場合、ＵＥが２つ以上のサービングセルで構成され、少なくとも２つの構成済サービングセルのＴＤＤ  ＵＬ／ＤＬ構成が同じでない場合、又はＵＥが少なくとも１つのサービングセルに対してパラメータEIMTA-MainConfigServCell-r12で構成される、あるいはＦＤＤ−ＴＤＤ及びサービングセルフレーム構造タイプ２である場合、「ＴＤＤ  ＵＬ／ＤＬ構成」は、サービングセルｃに対してＵＬ基準ＵＬ／ＤＬ構成（８．０節で定義される）を指す。
−  ＴＤＤ  ＵＬ  ／  ＤＬ構成１−６の場合、ＫＰＵＳＣＨは表５．１．１．１−１で与えられる。
−  ＴＤＤ  ＵＬ  ／  ＤＬ構成０の場合、
−  サブフレーム２又は７でのＰＵＳＣＨ送信が、ＵＬインデックスのＬＳＢが１に設定されたＤＣＩフォーマット０／４のＰＤＣＣＨ／ＥＰＤＣＣＨ又はＤＣＩフォーマット６−０Ａを有するＭＰＤＣＣＨでスケジューリングされる場合、ＫＰＵＳＣＨ＝７である。
−  他のすべてのＰＵＳＣＨ送信の場合、ＫＰＵＳＣＨは表５．１．１．１−１で与えられる。
−  ＤＣＩフォーマット０／４を有するＰＤＣＣＨ／ＥＰＤＣＣＨ又はＤＣＩフォーマット６−０Ａを有するＭＰＤＣＣＨでシグナリングされた絶対値δＰＵＳＣＨ，ｃｄＢが表５．１．１．１−２で与えられる。ＤＣＩフォーマット０を有するＰＤＣＣＨ／ＥＰＤＣＣＨ又はＤＣＩフォーマット６−０Ａを有するＭＰＤＣＣＨがＳＰＳ起動又はＰＤＣＣＨ／ＥＰＤＣＣＨ／ＭＰＤＣＣＨの解除として有効化された場合、δＰＵＳＣＨ，ｃは０ｄＢである。
−  非ＢＬ／ＣＥ  ＵＥの場合、サービングセルｃに対して復号されるＤＣＩフォーマット０／４を有するＰＤＣＣＨ／ＥＰＤＣＣＨがない、あるいはＴＤＤ又はＦＤＤ−ＴＤＤにおいてＤＲＸが発生するか、ｉがアップリンクサブフレームではなく、サービングセルｃフレーム構造タイプ２であるサブフレームの場合、ｆｃ（ｉ）＝ｆｃ（ｉ−１）及びｆｃ，２（ｉ）＝ｆｃ，２（ｉ−１）である。
−  ＣＥＭｏｄｅＡで構成されたＢＬ／ＣＥ  ＵＥの場合、サービングセルｃに対して復号されるＤＣＩフォーマット６−０Ａを有するＭＰＤＣＣＨがない、あるいはＴＤＤにおいてＤＲＸが発生するか、ｉがアップリンクサブフレームではないサブフレームの場合、ｆｃ（ｉ−１）＝ｆｃ（ｉ−１）及びｆｃ，２（ｉ）＝ｆｃ，２（ｉ−１）である。
−  ＵＥが、サービングセルｃに対して上位レイヤのパラメータUplinkPowerControlDedicated-v12x0で構成される場合、
−  サブフレームｉが上位レイヤのパラメータtpc-SubframeSet-r12によって示されるように、アップリンク電力制御サブフレームセット２に属する場合、ｆｃ（ｉ）＝ｆｃ（ｉ−１）
−  サブフレームｉが上位レイヤのパラメータtpc-SubframeSet-r12によって示されるように、アップリンク電力制御サブフレームセット２に属さない場合、ｆｃ，２（ｉ）＝ｆｃ，２（ｉ−１）
−  ｆｃ（＊）の両方のタイプ（累積又は現在の絶対値）の場合、最初の値（the  first  value）は次のように設定されます。
−  値ＰＯ＿ＵＥ＿ＰＵＳＣＨ，ｃが上位レイヤによって変更され、サービングセルがプライマリセルである場合、又は値ＰＯ＿ＵＥ＿ＰＵＳＣＨ，ｃが上位レイヤによって受信され、サービングセルがセカンダリセルである場合
−  ｆｃ（０）＝０
−  それ以外の場合
−  ＵＥがサービングセルｃに対するランダムアクセス応答メッセージを受信した場合
−  ｆｃ（０）＝ΔＰｒａｍｐｕｐ，ｃ＋δｍｓｇ２，ｃであり、ここで、
−  δｍｓｇ２，ｃはサービングセルｃ内で送信されたランダムアクセスプリアンブルに対応するランダムアクセス応答で指示されるＴＰＣコマンドであり（６．２節参照）、
【数１０】
2020022206.tif 000021
であり、Δｒａｍｐｕｐｒｅｑｕｅｓｔｅｄ，ｃは、上位レイヤによって提供され、サービングセルｃにおける最初のプリアンブルから最後のプリアンブルまで上位レイヤによって要求される全電力ランプアップに対応し、ＭＰＵＳＣＨ，ｃ（０）は、サービングセルｃ内での最初のＰＵＳＣＨ送信のサブフレームに対して有効なリソースブロックの数で表されたＰＵＳＣＨリソース割り当ての帯域幅である。ΔＴＦ，ｃ（０）は、サービングセルｃ内での最初のＰＵＳＣＨ伝送の電力調整である。
−  値ＰＯ＿ＵＥ＿ＰＵＳＣＨ，ｃ，２が、サービングセルｃに対して上位レイヤによって受信される場合、
−  ｆｃ，２（０）＝０
［“ＴＤＤ構成０−６の場合のＫＰＵＳＣＨ”と題する、３ＧＰＰ  ＴＳ  ３６．２１３  ｖ１３．１．１の表５．１．１．１−１は、図６として再現されている］
［“ＤＣＩフォーマット０／３／４におけるＴＰＣコマンドフィールドの絶対δＰＵＳＣＨ，ｃの値及び累積δＰＵＳＣＨ，ｃの値へのマッピング”と題する、３ＧＰＰ  ＴＳ  ３６．２１３  ｖ１３．１．１の表５．１．１．１−２は、図７として再現されている］
［“ＤＣＩフォーマット３ＡにおけるＴＰＣコマンドフィールドの累積δＰＵＳＣＨ，ｃの値へのマッピング”と題する、３ＧＰＰ  ＴＳ  ３６．２１３  ｖ１３．１．１の表５．１．１．１−３は、図８として再現されている］
［…］
５．１．２  物理アップリンク制御チャネル
ＵＥがＳＣＧで構成される場合、ＵＥはＭＣＧ及びＳＣＧの両方についてこの項で説明する手順を適用するものとする。
−  本手順がＭＣＧに適用される場合、この項における「サービングセル」という用語は、ＭＣＧに属するサービングセルを指す。
本手順がＳＣＧに適用される場合、この項における「サービングセル」という用語は、ＳＣＧに属するサービングセルを指す。この項における「プライマリセル」という用語は、ＳＣＧのＰＳＣｅｌｌを指す。ＵＥがＰＵＣＣＨ−ＳＣｅｌｌで構成される場合、ＵＥはプライマリＰＵＣＣＨグループとセカンダリＰＵＣＣＨグループの両方についてこの項で説明する手順を適用するものとする。
−  本手順がプライマリＰＵＣＣＨグループに適用されるとき、この項における「サービングセル」という用語は、プライマリＰＵＣＣＨグループに属するサービングセルを指す。
−  本手順がセカンダリＰＵＣＣＨグループに適用されるとき、この項における「サービングセル」という用語は、セカンダリＰＵＣＣＨグループに属するサービングセルを指す。この項における「プライマリセル」という用語は、セカンダリＰＵＣＣＨグループのＰＵＣＣＨ−ＳＣｅｌｌを指す。
５．１．２．１  ＵＥ挙動
サービングセルｃがプライマリセルであり、ＰＵＣＣＨフォーマット１／１ａ／１ｂ／２／２ａ／２ｂ／３である場合、サービングセルｃに対するサブフレームｉにおける物理アップリンク制御チャネル（ＰＵＣＣＨ）伝送のためのＵＥ伝送電力ＰＰＵＣＣＨの設定は、
【数１１】
2020022206.tif 000022
によって定義される。サービングセルｃがプライマリセルであり、ＰＵＣＣＨフォーマット４／５であるの場合、サービングセルｃに対するサブフレームｉにおける物理アップリンク制御チャネル（ＰＵＣＣＨ）伝送のためのＵＥ伝送電力ＰＰＵＣＣＨの設定は、
【数１２】
2020022206.tif 000023
によって定義される。ＵＥがプライマリセルに対してＰＵＣＣＨを送信していない場合、ＰＵＣＣＨのためのＴＰＣコマンドの累積のために、ＵＥは、サブフレームｉにおけるＰＵＣＣＨのためのＵＥ伝送電力ＰＰＵＣＣＨが、
【数１３】
2020022206.tif 000024
によって計算されると仮定するものとする。ここで、
−  ＰＣＭＡＸ，ｃ（ｉ）は、サービングセルｃに対してサブフレームｉにおいて［６］で定義された構成済ＵＥ伝送電力である。ＵＥがサービングセルｃに対してサブフレームｉにおいてＰＵＣＣＨなしのＰＵＳＣＨを送信する場合、ＰＵＣＣＨのためのＴＰＣコマンドの累積のために、ＵＥは５．１．１．１で与えられたように、ＰＣＭＡＸ，ｃを仮定するものとする。ＵＥがサービングセルｃに対してサブフレームｉにおいてＰＵＣＣＨ及びＰＵＳＣＨを送信しない場合、ＰＵＣＣＨのためのＴＰＣコマンドの累積のために、ＵＥはＭＰＲ＝０ｄＢ、Ａ−ＭＰＲ＝０ｄＢ、Ｐ−ＭＰＲ＝０ｄＢ及びΔＴＣ＝０ｄＢと仮定して、ＰＣＭＡＸ，ｃ（ｉ）を計算する。ここで、ＭＰＲ、Ａ−ＭＰＲ、Ｐ−ＭＰＲ及びΔＴＣは［６］で定義される。
−  パラメータΔＦ＿ＰＵＣＣＨ（Ｆ）は上位レイヤによって提供される。各値ΔＦ＿ＰＵＣＣＨ（Ｆ）は、ＰＵＣＣＨフォーマット１ａに対するＰＵＣＣＨフォーマット（Ｆ）に対応する。各ＰＵＣＣＨフォーマット（Ｆ）は、［３］の表５．４−１で定義される。
−  ＵＥが２つのアンテナポート上でＰＵＣＣＨを送信するように上位レイヤによって構成される場合、ΔＴｘＤ（Ｆ´）の値は上位レイヤによって提供さる。ここで、各ＰＵＣＣＨフォーマットＦ´は、［３］の表５．４−１で定義される。それ以外は、ΔＴｘＤ（Ｆ´）＝０である。
−  ｈ（ｎＣＱＩ，ｎＨＡＲＱ，ｎＳＲ）はＰＵＣＣＨフォーマット依存値である。ここで、ｎＣＱＩは、［４］の５．２．３．３項で定義されたチャネル品質情報についての情報ビット数に対応する。サブフレームｉが、ＵＬ−ＳＣＨのための関連するトランスポートブロックを持たないＵＥに対してＳＲのために構成される場合は、ｎＳＲ＝１、それ以外の場合、ｎＳＲ＝０である。ＵＥが２つ以上のサービングセルと共に構成される、あるいはＵＥが１つのサービングセルで構成され、送信がＰＵＣＣＨフォーマット３を使用する場合、ｎＨＡＲＱの値は１０．１節で定義される。それ以外の場合、ｎＨＡＲＱは、サブフレームｉで送信されたＨＡＲＱ−ＡＣＫビット数である。
−  ＰＵＣＣＨフォーマット１，１ａ及び１ｂの場合、ｈ（ｎＣＱＩ，ｎＨＡＲＱ，ｎＳＲ）＝０である。
−  チャネル選択を伴うＰＵＣＣＨフォーマット１ｂの場合、ＵＥが複数のサービングセルと共に構成されている場合に、
【数１４】
2020022206.tif 000025
である。そうでなければ、ｈ（ｎＣＱＩ，ｎＨＡＲＱ，ｎＳＲ）＝０である。
−  ＰＵＣＣＨフォーマット２、２ａ、２ｂ及び通常のサイクリックプレフィックス（cyclic  prefix）の場合、
【数１５】
2020022206.tif 000026
である。
−  ＰＵＣＣＨフォーマット２及び拡張サイクリックプレフィックスの場合、
【数１６】
2020022206.tif 000027
である。
−  ＰＵＣＣＨフォーマット３の場合、ＵＥが周期的ＣＳＩなしのＨＡＲＱ−ＡＣＫ／ＳＲを送信するとき、
−  ＵＥが、２つのアンテナポート上でＰＵＣＣＨフォーマット３を送信するように上位レイヤによって構成されている場合、又はＵＥが１２ビット以上のＨＡＲＱ−ＡＣＫ／ＳＲを送信する場合、
【数１７】
2020022206.tif 000028
である。
−  それ以外の場合、
【数１８】
2020022206.tif 000029
である。
−  ＰＵＣＣＨフォーマット３の場合、ＵＥがＨＡＲＱ−ＡＣＫ／ＳＲ及び周期的ＣＳＩを送信するとき、
−  ＵＥが、２つのアンテナポート上でＰＵＣＣＨフォーマット３を送信するように上位レイヤによって構成されている場合、又はＵＥが１２ビット以上のＨＡＲＱ−ＡＣＫ／ＳＲ及びＣＳＩを送信する場合、
【数１９】
2020022206.tif 000030
である。
−  それ以外の場合、
【数２０】
2020022206.tif 000031
である。
−  ＰＵＣＣＨフォーマット４の場合、ＭＰＵＣＣＨ，ｃ（ｉ）は、サブフレームｉ及びサービングセルｃに対して有効なリソースブロックの数で表現されたＰＵＣＣＨフォーマット４の帯域幅である。ＰＵＣＣＨフォーマット５の場合、ＭＰＵＣＣＨ，ｃ（ｉ）＝１である。
−  ΔＴＦ，ｃ（ｉ）＝１０ｌｏｇ１０（２１．２５・ＢＰＲＥ（ｉ）−１）である。ここで、ＢＰＲＥ（ｉ）＝ＯＵＣＩ（ｉ）／ＮＲＥ（ｉ）である。
−  ＯＵＣＩ（ｉ）は、サブフレームｉにおけるＰＵＣＣＨフォーマット４／５で送信されたＣＲＣビットを含むＨＡＲＱ−ＡＣＫ／ＳＲ／ＲＩ／ＣＱＩ／ＰＭＩビット数である。
−  ＰＵＣＣＨフォーマット４の場合、
【数２１】
2020022206.tif 000032
であり、ＰＵＣＣＨフォーマット５の場合、
【数２２】
2020022206.tif 000033
である。
−  短縮ＰＵＣＣＨフォーマット４又は短縮ＰＵＣＣＨフォーマット５がサブフレームｉで使用される場合、
【数２３】
2020022206.tif 000034
である。それ以外の場合、
【数２４】
2020022206.tif 000035
である。
−  Ｐｏ＿ＰＵＣＣＨは、上位レイヤによって提供されるパラメータＰｏ＿ＮＯＭＩＮＡＬ＿ＰＵＣＣＨと上位レイヤによって提供されるパラメータＰｏ＿ＵＥ＿ＰＵＣＣＨとの合計で構成されるパラメータである。
−  δＰＵＣＣＨは、ＴＰＣコマンドとも称される、ＵＥ固有の補正値であり、プライマリセルに対してＤＣＩフォーマット１Ａ／１Ｂ／１Ｄ／１／２Ａ／２／２Ｂ／２Ｃ／２Ｄを有するＰＤＣＣＨに含まれる、プライマリセルに対してＤＣＩフォーマット６−１Ａを有するＭＰＤＣＣＨに含まれる、プライマリセルに対してＤＣＩフォーマット１Ａ／１Ｂ／１Ｄ／１／２Ａ／２／２Ｂ／２Ｃ／２Ｄを有するＥＰＤＣＣＨに含まれる、あるいはＣＲＣパリティビットがＴＰＣ−ＰＵＣＣＨ−ＲＮＴＩでスクランブルされたＤＣＩフォーマット３／３Ａを有するＰＤＣＣＨ／ＭＰＤＣＣＨで他のＵＥ固有のＰＵＣＣＨ補正値と結合して符号化され送信される。
−  非ＢＬ／ＣＥ  ＵＥの場合、ＵＥがＥＰＤＣＣＨ監視のために構成されていない場合、ＵＥは、ＤＲＸにいるときを除くすべてのサブフレームで、ＵＥのＴＰＣ−ＰＵＣＣＨ−ＲＮＴＩを有するＤＣＩフォーマット３／３ＡのＰＤＣＣＨと、ＵＥのＣ−ＲＮＴＩ又はＳＰＳ  Ｃ−ＲＮＴＩを有するＤＣＩフォーマット１Ａ／１Ｂ／１Ｄ／１／２Ａ／２／２Ｂ／２Ｃ／２Ｄの１つ又は複数のＰＤＣＣＨの復号を試みる。
−  ＵＥがＥＰＤＣＣＨ監視のために構成されている場合、ＵＥは、
−  ９．１．１項に説明しているように、ＵＥのＴＰＣ−ＰＵＣＣＨ−ＲＮＴＩを有するＤＣＩフォーマット３／３ＡのＰＤＣＣＨと、ＵＥのＣ−ＲＮＴＩ又はＳＰＳ  Ｃ−ＲＮＴＩを有するＤＣＩフォーマット１Ａ／１Ｂ／１Ｄ／１／２Ａ／２／２Ｂ／２Ｃ／２Ｄの１つ又は複数のＰＤＣＣＨ
−  ９．１．４項に説明しているように、ＵＥのＣ−ＲＮＴＩ又はＳＰＳ  Ｃ−ＲＮＴＩを有するＤＣＩフォーマット１Ａ／１Ｂ／１Ｄ／１／２Ａ／２／２Ｂ／２Ｃ／２Ｄの１つ又は複数のＥＰＤＣＣＨ
の復号を試みる。
−  ＣＥＭｏｄｅＡで構成されたＢＬ／ＣＥ  ＵＥの場合、ＵＥは、ＤＲＸにいるときを除くすべてのＢＬ／ＣＥダウンリンクサブフレームで、ＵＥのＴＰＣ−ＰＵＣＣＨ−ＲＮＴＩを有するＤＣＩフォーマット３／３ＡのＭＰＤＣＣＨと、ＵＥのＣ−ＲＮＴＩ又はＳＰＳ  Ｃ−ＲＮＴＩを有するＤＣＩフォーマット６−１ＡのＭＰＤＣＣＨの復号を試みる。
−  ＵＥが
−  ＤＣＩフォーマット１Ａ／１Ｂ／１Ｄ／１／２Ａ／２／２Ｂ／２Ｃ／２Ｄを有するＰＤＣＣＨ、
−  ＤＣＩフォーマット１Ａ／１Ｂ／１Ｄ／１／２Ａ／２／２Ｂ／２Ｃ／２Ｄを有するＥＰＤＣＣＨ又は
−  ＤＣＩフォーマット６−１Ａを有するＭＰＤＣＣＨ
を復号する場合、
プライマリセルで、対応する検出されたＲＮＴＩがＵＥのＣ−ＲＮＴＩ又はＳＰＳ  Ｃ−ＲＮＴＩと等しく、ＤＣＩフォーマットにおけるＴＰＣフィールドが１０．１節のようにＰＵＣＣＨリソースを決定するために使用されない場合、ＵＥは、ＰＤＣＣＨ／ＥＰＤＣＣＨ／ＭＰＤＣＣＨにおいてδＰＵＣＣＨを使用するものとする。
そうでないなら、
−  ＵＥがＤＣＩフォーマット３／３Ａを有するＰＤＣＣＨ／ＭＰＤＣＣＨを復号する場合、ＵＥはＰＤＣＣＨ／ＭＰＤＣＣＨにおいてδＰＵＣＣＨを使用するものとする。そうでないなら、ＵＥは、δＰＵＣＣＨ＝０ｄＢを設定するものとする。
−
【数２５】
2020022206.tif 000036
ここで、ｇ（ｉ）は現在のＰＵＣＣＨ電力制御調整状態であり、ｇ（０）はリセット後の最初の値である。
−  ＦＤＤ又はＦＤＤ−ＴＤＤ及びプライマリセルフレーム構造タイプ１である場合。Ｍ＝１であり、ｋ０＝４である。
−  ＴＤＤの場合、Ｍ及びｋｍの値は表１０．１．３．１−１に与えられる。ここで、表１０．１．３．１−１における「ＵＬ／ＤＬ構成」は、ＵＥがプライマリセルに対してパラメータEIMTA-MainConfigServCell-r12で構成されるときのプライマリセルに対するパラメータeimta-HARQ-ReferenceConfig-r12に対応する。
−  ＤＣＩフォーマット１Ａ／１Ｂ／１Ｄ／１／２Ａ／２／２Ｂ／２Ｃ／２Ｄを有するＰＤＣＣＨ、ＤＣＩフォーマット１Ａ／１Ｂ／１Ｄ／１／２Ａ／２／２Ｂ／２Ｃ／２Ｄを有するＥＰＤＣＣＨ又はＤＣＩフォーマット６−１Ａを有するＭＰＤＣＣＨでシグナリングされる値δＰＵＣＣＨが表５．１．２．１−１に与えられる。ＤＣＩフォーマット１／１Ａ／２／２Ａ／２Ｂ／２Ｃ／２Ｄを有するＰＤＣＣＨ、ＤＣＩフォーマット１／１Ａ／２Ａ／２／２Ｂ／２Ｃ／２Ｄを有するＥＰＤＣＣＨ又はＤＣＩフォーマット６−１Ａを有するＭＰＤＣＣＨが、ＳＰＳアクティベーションＰＤＣＣＨ／ＥＰＤＣＣＨ／ＭＰＤＣＣＨとして有効である、あるいはＤＣＩフォーマット１Ａを有するＰＤＣＣＨ／ＥＰＤＣＣＨ又はＤＣＩフォーマット６−１Ａを有するＭＰＤＣＣＨは、ＳＰＳリリースＰＤＣＣＨ／ＥＰＤＣＣＨ／ＭＰＤＣＣＨとして有効である場合、δＰＵＣＣＨは０ｄＢである。
−  ＤＣＩフォーマット３／３Ａを有するＰＤＣＣＨ／ＭＰＤＣＣＨでシグナリングされる値δＰＵＣＣＨｄＢは、上位レイヤによって準静的に構成されるように、表５．１．２．１−１又は表５．１．２．１−２に与えられる。
−  値Ｐｏ＿ＵＥ＿ＰＵＣＣＨが上位レイヤによって変更される場合、
−  ｇ（０）＝０であり、
−  そうでないなら、
−  ｇ（０）＝ΔＰｒａｍｐｕｐ＋δｍｓｇ２であり、ここで、
−  δｍｓｇ２は、プライマリセル内で送信されたランダムアクセスプリアンブルに対応するランダムアクセス応答に示されるＴＰＣコマンドである（６．２節参照）。
−  ＵＥがサブフレームｉにおいてＰＵＣＣＨを送信している場合、
【数２６】
2020022206.tif 000037
それ以外の場合、
【数２７】
2020022206.tif 000038
である。ΔＰｒａｍｐｕｐｒｅｑｕｅｓｔｅｄは、上位レイヤによって提供され、プライマリセルにおいて最初のプリアンブルから最後のプリアンブルまで上位レイヤによって要求される全電力ランプアップ（ramp-up）に対応する。
−  ＵＥがプライマリセルに対してＰＣ，ＭＡＸ，ｃ（ｉ）に到達した場合、プライマリセルに対する正のＴＰＣコマンドは累積されないものとする。
−  ＵＥが最小電力に達した場合、負のＴＰＣコマンドは累積されないものとする。
−  ＵＥは累積をリセットするものとする。
−  値Ｐｏ＿ＵＥ＿ＰＵＣＣＨが上位レイヤによって変更された場合
−  ＵＥがプライマリセルに対するランダムアクセス応答メッセージを受信したとき
−  ｉがＴＤＤ又はＦＤＤ−ＴＤＤにおけるアップリンクサブフレームではなく、プライマリセルフレーム構造タイプ２である場合、ｇ（ｉ）＝ｇ（ｉ−１）である。
ＣＥＭｏｄｅＡで構成されたＢＬ／ＣＥ  ＵＥの場合、ＰＵＣＣＨが複数のサブフレームｉ０，ｉ１，．．．，ｉＮ−１（ここで、ｉ０＜ｉ１＜．．．＜ｉＮ−１である）において送信されるなら、サブフレームｉｋ（ｋ＝０，１，．．．，Ｎ−１）におけるＰＵＣＣＨ伝送電力は、ＰＰＵＣＣＨ，ｃ（ｉｋ）＝ＰＰＵＣＣＨ，ｃ（ｉ０）によって決定される。
ＣＥＭｏｄｅＢで構成されたＢＬ／ＣＥ  ＵＥの場合、サブフレームｉｋにおけるＰＵＣＣＨ伝送電力は、ＰＰＵＣＣＨ，ｃ（ｉｋ）＝ＰＣＭＡＸ，ｃ（ｉ０）によって決定される。
［“ＤＣＩフォーマット１Ａ／１Ｂ／１Ｄ／１／２Ａ／２Ｂ／２Ｃ／２Ｄ／２／３におけるＴＰＣコマンドフィールドの値δＰＵＣＣＨへのマッピング”と題する、３ＧＰＰ  ＴＳ  ３６．２１３  ｖ１３．１．１の表５．１．２．１−１は、図９として再現されている］
［“ＤＣＩフォーマット３ＡにおけるＴＰＣコマンドフィールドの値δＰＵＣＣＨへのマッピング”と題する、３ＧＰＰ  ＴＳ  ３６．２１３  ｖ１３．１．１の表５．１．２．１−２は、図１０として再現されている］
５．１．３  サウンディング基準シンボル（ＳＲＳ）
５．１．３．１  ＵＥの動作
サービングセルｃに対するサブフレームｉで送信されるＳＲＳのためのＵＥ伝送電力ＰＳＲＳの設定は、
【数２８】
2020022206.tif 000039
によって定義される。ここで、
−  ＰＣＭＡＸ，ｃ（ｉ）は、サービングセルｃに対してサブフレームｉにおいて［６］で定義された構成済ＵＥ伝送電力である。
−  ＰＳＲＳ＿ＯＦＦＳＥＴ，ｃ（ｍ）は、サービングセルｃに対する、ｍ＝０及びｍ＝１の場合に、上位レイヤによって半静的に構成される。トリガタイプ０が与えられたＳＲＳ伝送の場合ｍ＝０であり、トリガタイプ１が与えられたＳＲＳ伝送の場合ｍ＝１である。
−  ＭＳＲＳ，ｃは、リソースブロック数で表された、サービングセルｃに対するサブフレームｉにおけるＳＲＳ伝送の帯域幅である。
−  ｆｃ（ｉ）は、サービングセルｃに対する現在のＰＵＳＣＨ電力制御調整状態である（５．１．１．１項参照）。
−  ＰＯ＿ＰＵＳＣＨ，ｃ（ｊ）及びαｃ（ｊ）は、サブフレームｉに対して５．１．１．１項で定義されるパラメータである（ここで、ｊ＝１である）。
ＵＥがＳＣＧ又はＰＵＣＣＨ−ＳＣｅｌｌで構成されておらず、ＳＣ−ＦＤＭＡシンボル内のサウンディング基準シンボルに対するＵＥの総伝送電力が
（外１０）
2020022206.tif 000040
を超過する場合、ＵＥは、条件
【数２９】
2020022206.tif 000041
が満されるように、サービングセルｃに対する
（外１１）
2020022206.tif 000042
及びサブフレームｉ内のＳＣ−ＦＤＭＡシンボルをスケールする。ここで、
（外１２）
2020022206.tif 000043
は、ＰＳＲＳ，ｃ（ｉ）の線形値であり、
（外１３）
2020022206.tif 000044
は、サブフレームｉにおいて［６］で定義されるＰＣＭＡＸの線形値であり、ｗ（ｉ）はサービングセルｃに対する
（外１４）
2020022206.tif 000045
のスケーリングファクタである。ここで、０＜ｗ（ｉ）≦１である。値ｗ（ｉ）は複数のサービングセルにわたって同じであることに留意されたい。
ＵＥがＳＣＧ又はＰＵＣＣＨ−ＳＣｅｌｌで構成されておらず、ＵＥが複数のＴＡＧで構成され、ＴＡＧ内のサブフレームｉにおいて、サービングセルに対するＳＣ−ＦＤＭＡシンボル内のＵＥのＳＲＳ伝送が、他のＴＡＧ内のサブフレームｉにおいて、サービングセルに対する別のＳＣ−ＦＤＭＡシンボル内のＳＲＳ伝送と重複する場合、そして、重複部分内のサウンディング基準シンボルに対するＵＥの総伝送電力が
（外１５）
2020022206.tif 000046
を超過する場合、ＵＥは、条件
【数３０】
2020022206.tif 000047
が満たされるように、サービングセルｃに対する
（外１６）
2020022206.tif 000048
及びサブフレームｉ内のＳＲＳ  ＳＣ−ＦＤＭＡシンボルをサブフレームをスケールする。ここで、
（外１７）
2020022206.tif 000049
は、ＰＳＲＳ，ｃ（ｉ）の線形値であり、
（外１８）
2020022206.tif 000050
は、サブフレームｉにおいて［６］で定義されるＰＣＭＡＸの線形値であり、ｗ（ｉ）はサービングセルｃに対する
（外１９）
2020022206.tif 000051
のスケーリングファクタである。ここで、０＜ｗ（ｉ）≦１である。値ｗ（ｉ）は複数のサービングセルにわたって同じであることに留意されたい。
ＵＥがサービングセルｃに対して上位レイヤのパラメータUplinkPowerControlDedicated-v12x0で構成され、サブフレームｉが、上位レイヤのパラメータtpc-SubframeSet-r12によって示されるように、アップリンク電力制御サブフレームセット２に属する場合、ＵＥはｆｃ（ｉ）の代わりにｆｃ，２（ｉ）を使用して、サブフレームｉ及びサービングセルｃに対するＰＳＲＳ，ｃ（ｉ）を決定する。ここで、ｆｃ，２（ｉ）は、５．１．１．１項で定義される。
【００３７】
チャネル状態情報（ＣＳＩ）は、チャネル品質指標（ＣＱＩ）、プリコーディング行列指標（ＰＭＩ）及びランク指標（ＲＩ）を含み得り、ＣＳＩ測定はＣＲＳ又はＣＳＩ−ＲＳから測定される。以下の引用から分かるように、ＣＱＩは、特定の仮定（例えば、誤り率目標、チャネル条件）の下でアフォーダブルな（affordable）変調及び符号化スキームの指標であり、特定の信号の信号対干渉雑音比（ＳＩＮＲ）から決定することができる、チャネルに対する暗黙のフィードバックの一種である。あるいは、ＣＱＩは、可能な量子化を用いて実チャネル係数を指示するために使用することもできる。ＰＭＩは、アンテナ領域における好ましいプリコーディング行列の指標であり、信号品質（ビームフォーミング利得）を上げる、あるいは異なるアンテナから所与のＵＥへの複数のストリーム（レイヤ）間の干渉を下げたりするために使用することができる。ＲＩは、ＵＥに対するストリーム（レイヤ）の好ましいあるいはアフォーダブルな数の指標である。より詳細な情報は、次のように、３ＧＰＰ  ＴＳ  ３６．２１３の７．２節に見出すことができる。
７．２  チャネル状態情報（ＣＳＩ）を報告するためのＵＥ手順
ＵＥがＰＵＣＣＨ−ＳＣｅｌｌで構成される場合、ＵＥは、特に明記されていない限り、プライマリＰＵＣＣＨグループとセカンダリＰＵＣＣＨグループの両方に対して、この節で説明する手順を適用するものとする。
−  この手順をプライマリＰＵＣＣＨグループに適用する場合、この節の「セカンダリセル」、「複数のセカンダリセル」、「サービングセル」、「複数のサービングセル」という用語は、特に明記されていない限り、それぞれ、プライマリＰＵＣＣＨグループに属するセカンダリセル、複数のセカンダリセル、サービングセル、複数のサービングセルを指す。
−  この手順をセカンダリＰＵＣＣＨグループに適用する場合、この節の「セカンダリセル」、「複数のセカンダリセル」、「サービングセル」、「複数のサービングセル」という用語は、特に明記されていない限り、それぞれ、セカンダリＰＵＣＣＨグループに属するセカンダリセル、複数のセカンダリセル（ＰＵＣＣＨ−ＳＣｅｌｌを含まない）、サービングセル、複数のサービングセルを指す。この節の「プライマリセル」という用語は、セカンダリＰＵＣＣＨグループのＰＵＣＣＨ−ＳＣｅｌｌを指します。
チャネル品質指標（ＣＱＩ）、プリコーディング行列指標（ＰＭＩ）、プリコーディングタイプ指標（ＰＴＩ）、ＣＳＩ−ＲＳリソース指標（ＣＲＩ）及び／又はランク指標（ＲＩ）からなるＣＳＩを報告するためにＵＥによって使用され得る時間及び周波数リソースは、ｅＮＢによって制御される。空間多重化の場合、［３］で与えられるように、ＵＥは有用な伝送レイヤの数に対応するＲＩを決定するものとする。［３］で与えられる送信ダイバーシティの場合、ＲＩは１に等しい。
伝送モード８又は９の非ＢＬ  ／  ＣＥ  ＵＥは、上位レイヤのパラメータpmi-RI-ReportによってＰＭＩ／ＲＩ報告ありであるいはなしで構成される。
伝送モード１０のＵＥは、上位レイヤによってサービングセルごとに１つ以上のＣＳＩプロセスで構成され得る。
伝送モード１０のＵＥの場合、
−  ＵＥが上位レイヤのパラメータeMIMO-Typeで構成されない場合、各ＣＳＩプロセスはＣＳＩ−ＲＳリソース（７．２．５項で定義される）とＣＳＩ干渉測定（ＣＳＩ−ＩＭ）リソース（７．２．６項で定義される）に関連付けられる。ＵＥが上位レイヤのパラメータcsi-SubFramePatternConfig-r12によってＣＳＩサブフレームセットＣＣＳＩ，０及びＣＣＳＩ，１で構成される場合、ＵＥはＣＳＩプロセスに対して２つまでのＣＳＩ−ＩＭリソースで構成され得る。
−  ＵＥが上位レイヤのパラメータeMIMO-Typeで構成され、eMIMO-Typeが「ＣＬＡＳＳ  Ａ」に設定される場合、各ＣＳＩプロセスはＣＳＩ−ＲＳリソース（７．２．５項で定義される）とＣＳＩ干渉測定（ＣＳＩ−ＩＭ）リソース（７．２．６項で定義される）に関連付けられる。ＵＥが上位レイヤのパラメータcsi-SubFramePatternConfig-r12によってＣＳＩサブフレームセットＣＣＳＩ，０及びＣＣＳＩ，１で構成される場合、ＵＥはＣＳＩプロセスに対して２つまでのＣＳＩ−ＩＭリソースで構成され得る。
−  ＵＥが上位レイヤのパラメータeMIMO-Typeで構成され、eMIMO-Typeが「ＣＬＡＳＳ  Ｂ」に設定される場合、各ＣＳＩプロセスは１つ以上のＣＳＩ−ＲＳリソース（７．２．５項で定義される）と１つ以上のＣＳＩ干渉測定（ＣＳＩ−ＩＭ）リソース（７．２．６項で定義される）に関連付けられる。各ＣＳＩ−ＲＳリソースは、上位レイヤによってＣＳＩ−ＩＭリソースに関連付けられる。１つのＣＳＩ−ＲＳリソースを有するＣＳＩプロセスの場合、上位レイヤのパラメータcsi-SubFramePatternConfig-r12によってＣＳＩサブフレームセットＣＣＳＩ，０及びＣＣＳＩ，１で構成されるなら、ＵＥは各ＣＳＩサブフレームセットについてのＣＳＩ−ＩＭリソースで構成され得る。
伝送モード１０のＵＥの場合、ＵＥによって報告されるＣＳＩは、上位レイヤによって構成されるＣＳＩプロセスに対応する。各ＣＳＩプロセスは、上位レイヤのシグナリングによるＰＭＩ／ＲＩ報告ありであるいはなしで構成され得る。
伝送モード９のＵＥで、ＵＥが上位レイヤのパラメータeMIMO-Typeで構成される場合、この節の「ＣＳＩプロセス」という用語は、ＵＥに対する構成済ＣＳＩを指す。
伝送モード９のＵＥの場合、ＵＥが上位レイヤのパラメータeMIMO-Typeで構成されるなら、
−  eMIMO-Typeは「ＣＬＡＳＳ  Ａ」に設定され、各ＣＳＩプロセスはＣＳＩ−ＲＳリソース（７．２．５項で定義される）に関連付けられる。
−  eMIMO-Typeが「ＣＬＡＳＳ  Ｂ」に設定され、各ＣＳＩプロセスは１つ以上のＣＳＩ−ＲＳリソース（７．２．５項で定義されている）に関連付けられる。
ＣＳＩプロセスの場合、ＵＥが伝送モード９又は１０で構成され、ＵＥが上位レイヤのパラメータpmi-RI-Reportで構成されず、ＵＥが上位レイヤのパラメータeMIMO-Typeで構成され、eMIMO-Typeが「クラスＢ」に設定され、１つ以上の構成済ＣＳＩ−ＲＳリソースのうちの少なくとも１つにおいてＣＳＩ−ＲＳアンテナポートの数が複数である場合、ＵＥはＰＭＩ報告なしで構成されているとみなされる。
サブフレームセットＣＣＳＩ，０及びＣＣＳＩ，１が上位レイヤによって構成される場合、ＵＥはリソース制限されたＣＳＩ測定値で構成される。
フレーム構造タイプ１のサービングセルの場合、ＵＥがcsi-SubframePatternConfig-r12で構成されることは期待されない。
ＣＳＩ報告は周期的又は非周期的である。
ＣＥＭｏｄｅＢで構成されるＢＬ／ＣＥ  ＵＥが、非周期的ＣＳＩ又は周期的ＣＳＩ報告のいずれかで構成されることは期待されない。
ＵＥが２つ以上のサービングセルで構成されている場合、ＵＥは活性サービングセルに対してのみＣＳＩを送信する。
ＵＥがＰＵＳＣＨとＰＵＣＣＨを同時に伝送するように構成されていない場合、ＵＥはＰＵＳＣＨを割り当てないサブフレームにおいて、以下に定義するＰＵＣＣＨについての周期的ＣＳＩ報告を送信するものとする。
ＵＥがＰＵＳＣＨとＰＵＣＣＨを同時に伝送するように構成されていない場合、ＵＥはＰＵＳＣＨ割り当てを有するサブフレームにおいて、以下に定義する最小のServCellIndexを有するサービングセルのＰＵＳＣＨについての周期的ＣＳＩ報告を送信するものとする。ここで、ＰＵＳＣＨについてＰＵＣＣＨベースの周期的ＣＳＩ報告フォーマットと同じものを使用するものとする。
以下に規定される条件が満たされる場合、ＵＥはＰＵＳＣＨについての非周期的ＣＳＩ報告を送信するものとする。非周期的ＣＱＩ／ＰＭＩ報告の場合、構成済ＣＳＩフィードバックタイプがＲＩ報告をサポートしている場合のみ、ＲＩ報告が送信される。
表７．２−１：なし
周期的及び非周期的ＣＳＩ報告が同じサブフレーム内で発生する場合、ＵＥはそのサブフレーム内では非周期的ＣＳＩ報告のみを送信するものとする。
上位レイヤのパラメータaltCQI-Table-r12が構成されかつallSubframes-r12に設定されている場合、
−  ＵＥは、表７．２．３−２に従ってＣＱＩを報告するものとする。
そうではなく、上位レイヤのパラメータaltCQI-Table-r12が構成されかつcsi-SubframeSet1-r12又はcsi-SubframeSet2-r12に設定されている場合、
−  ＵＥは、altCQI-Table-r12によって構成された対応するＣＳＩサブフレームセットについての表７．２．３−２に従ってＣＱＩを報告するものとする。
−  ＵＥは、表７．２．３−１に従って他のＣＳＩサブフレームセットについてのＣＱＩを報告するものとする。
そうでないなら、
−  ＵＥは、表７．２．３−１に従ってＣＱＩを報告するものとする。
［…］
７．２．３  チャネル品質指標（ＣＱＩ）の定義
ＱＰＳＫ、１６ＱＡＭ及び６４ＱＡＭに基づいてＣＱＩを報告するためのＣＱＩインデックス及びその解釈が表７．２．３−１に与えられる。ＱＰＳＫ、１６ＱＡＭ、６４ＱＡＭ及び２５６ＱＡＭに基づいてＣＱＩを報告するためのＣＱＩインデックス及びその解釈が表７．２．３−２に与えられる。ＱＰＳＫ及び１６ＱＡＭに基づいてＣＱＩを報告するためのＣＱＩインデックスとその解釈が表７．２．３−３に与えられる。
非ＢＬ／ＣＥ  ＵＥの場合、この節で特に明記されていない限り、制限されていない時間の観測間隔に基づいてかつ制限されていない周波数の観測間隔に基づいて、ＵＥはアップリンクサブフレームｎにおいて報告された各ＣＱＩ値に対して、次の条件を満たす表７．２．３−１又は表７．２．３−２における１と１５の間で最も大きいＣＱＩインデックスを導出する、あるいはＣＱＩインデックス１が次の条件を満たさない場合、ＣＱＩインデックス０を導出する。
−  ＣＱＩインデックスに対応する変調スキームとトランスポートブロックサイズとの組み合わせを有し、ＣＳＩ基準リソースと呼ばれるダウンリンク物理リソースブロックのグループを占有する単一のＰＤＳＣＨトランスポートブロックは、０．１を超えないトランスポートブロックエラー確率で受信することができる。
ＢＬ  ／  ＣＥ  ＵＥの場合、制限されていない時間と周波数の観測間隔に基づいて、ＵＥは各ＣＱＩ値に対して、次の条件を満たす表７．２．３−３における１と１０の間の最も大きいＣＱＩインデックスを導出する、あるいはＣＱＩインデックス１が次の条件を満たさない場合はＣＱＩインデックス０を導出する。
−  ＣＱＩインデックスに対応する変調スキームとトランスポートブロックサイズとの組み合わせを有し、ＣＳＩ基準リソースと呼ばれるダウンリンク物理リソースブロックのグループを占有する単一のＰＤＳＣＨトランスポートブロックは、０．１を超えないトランスポートブロックエラー確率で受信することができる。
ＣＳＩサブフレームセットＣＣＳＩ，０及びＣＣＳＩ，１が上位レイヤによって構成される場合、各ＣＳＩ基準リソースは、ＣＣＳＩ，０又はＣＣＳＩ，１のいずれかに属するが、両方には属さない。ＣＳＩサブフレームセットＣＣＳＩ，０及びＣＣＳＩ，１が上位レイヤによって構成されるとき、ＣＳＩ基準リソースがいずれのサブフレームセットにも属さないサブフレーム内にあるトリガをＵＥが受信することは期待されない。伝送モード１０及び周期的なＣＳＩ報告のＵＥの場合、ＣＳＩ基準リソースのためのＣＳＩサブフレームセットは、各ＣＳＩプロセスに対して上位レイヤによって構成される。
伝送モード９のＵＥの場合、パラメータpmi-RI-Reportが上位レイヤによって構成され、パラメータeMIMO-Typeが上位レイヤによって構成されていないとき、ＵＥは、ＵＥがＣＳＩ−ＲＳに対して非ゼロ電力をとるように構成されている、［３］で定義されるチャネル状態情報（ＣＳＩ）基準信号（ＣＳＩ−ＲＳ）のみに基づいて、アップリンクサブフレームｎにおいて報告されるＣＱＩ値を計算するためのチャネル測定値を導出するものとする。伝送モード９の非ＢＬ／ＣＥ  ＵＥの場合でパラメータpmi-RI-Reportが上位レイヤで構成されていないとき、あるいは伝送モード１〜８の場合、ＵＥはＣＲＳに基づいてＣＱＩを計算するためのチャネル測定値を導出するものとする。ＢＬ／ＣＥ  ＵＥの場合、ＵＥは、ＣＲＳに基づいてＣＱＩを計算するためのチャネル測定値を導出するものとする。
伝送モード１０のＵＥの場合、パラメータeMIMO-Typeが上位レイヤによって構成されていないとき、ＵＥは、ＣＳＩプロセスに関連する構成済ＣＳＩ−ＲＳリソース内のゼロ電力のＣＳＩ−ＲＳ（［３］で定義される）のみに基づいて、アップリンクサブフレームｎにおいて報告され、ＣＳＩプロセスに対応するＣＱＩ値を計算するためのチャネル測定値を導出するものとする。
伝送モード９のＵＥであって、ＵＥが上位レイヤによってパラメータeMIMO-Typeで構成されている場合、この項における「ＣＳＩプロセス」という用語は、ＵＥに対する構成済ＣＳＩを指す。
伝送モード９又は１０のＵＥであって、ＣＳＩプロセスの場合、ＵＥが上位レイヤによってパラメータeMIMO-Typeで構成され、eMIMO-Typeが「クラスＡ」に設定され、かつ、１つのＣＳＩ−ＲＳリソースが構成されている場合、又はＵＥが上位レイヤによってパラメータeMIMO-Typeで構成され、eMIMO-Typeは「クラスＢ」に設定され、かつ、パラメータchannelMeasRestrictionが上位レイヤによって構成されていない場合、ＵＥは、ＣＳＩプロセスに関連する構成済ＣＳＩ−ＲＳリソース内の非ゼロ電力ＣＳＩ−ＲＳ（［３］で定義される）のみに基づいて、アップリンクサブフレームｎにおいて報告され、ＣＳＩプロセスに対応するＣＱＩ値を計算するためのチャネル測定値を導出するものとする。ＵＥが上位レイヤによってパラメータeMIMO-Typeで構成され、eMIMO-Typeが「クラスＢ」に設定され、構成済ＣＳＩ−ＲＳリソース数がＫ＞１であり、かつ、パラメータchannelMeasRestrictionが上位レイヤによって構成されていない場合、ＵＥは、ＣＲＩによって指示される構成済ＣＳＩ−ＲＳリソースのみを使用してＣＱＩ値を計算するためのチャネル測定値を導出するものとする。
伝送モード９又は１０のＵＥであって、ＣＳＩプロセスの場合、ＵＥが上位レイヤによってパラメータeMIMO-Typeで構成され、eMIMO-Typeが「クラスＢ」に設定され、かつ、パラメータchannelMeasRestrictionが上位レイヤによって構成されている場合、ＵＥは、最新であり、かつ、遅くともＣＳＩ基準リソースまでの、ＣＳＩプロセスに関連する構成済ＣＳＩ−ＲＳリソース内の非ゼロ電力ＣＳＩ−ＲＳ（［３］で定義される）のみに基づいて、アップリンクサブフレームｎにおいて報告され、ＣＳＩプロセスに対応するＣＱＩ値を計算するためのチャネル測定値を導出するものとする。ＵＥが上位レイヤによってパラメータeMIMO-Typeで構成され、eMIMO-Typeが「クラスＢ」に設定され、構成済ＣＳＩ−ＲＳリソース数がＫ＞１であり、かつパラメータchannelMeasRestrictionが上位レイヤによって構成されている場合、ＵＥは、最新であり、かつ、遅くともＣＳＩ基準リソースまでの、ＣＲＩによって指示される構成済ＣＳＩ−ＲＳリソース内の非ゼロ電力ＣＳＩ−ＲＳのみを使用してＣＱＩ値を計算するためのチャネル測定値を導出しなければならない。
伝送モード１０のＵＥの場合、パラメータeMIMO-Typeが上位レイヤによって構成されていないとき、ＵＥは、ＣＳＩプロセスに関連する構成済ＣＳＩ−ＩＭリソースのみに基づいて、アップリンクサブフレームｎにおいて報告され、ＣＳＩプロセスに対応するＣＱＩ値を計算するための干渉測定値を導出するものとする。
伝送モード１０のＵＥであって、ＣＳＩプロセスの場合、パラメータeMIMO-Type及びinterferenceMeasRestrictionが上位レイヤによって構成されている場合、ＵＥは、最新であり、かつ、遅くともＣＳＩ基準リソースまでの、ＣＳＩプロセスに関連づけられた構成済ＣＳＩ−ＩＭのみに基づいて、アップリンクサブフレームｎにおいて報告され、ＣＳＩプロセスに対応するＣＱＩ値を計算するための干渉測定値を導出するものとする。ＵＥが上位レイヤによってパラメータeMIMO-Typeで構成され、eMIMO-Typeが「クラスＢ」に設定され、構成済ＣＳＩ−ＲＳリソース数がＫ＞１であり、かつ、interferenceMeasRestrictionが構成されている場合、ＵＥは、最新であり、かつ、遅くともＣＳＩ基準リソースまでの、ＣＲＩによって指示されるＣＳＩ−ＲＳに関連する構成済ＣＳＩ−ＩＭリソースのみに基づいて、ＣＱＩ値を計算するための干渉測定値を導出するものとする。interferenceMeasRestrictionが構成されていない場合、ＵＥは、ＣＲＩによって指示されるＣＳＩ−ＲＳリソースに関連するＣＳＩ−ＩＭに基づいてＣＱＩ値を計算するための干渉測定値を導出するものとする。
伝送モード１０のＵＥが、ＣＳＩプロセスのためのＣＳＩサブフレームセットＣＣＳＩ，０及びＣＣＳＩ，１について上位レイヤによって構成されている場合、ＣＳＩ基準リソースに属するサブフレームサブセット内の構成済ＣＳＩ−ＩＭリソースが、干渉測定を導出するために使用される。
ＵＥがサービングセルに対してパラメータEIMTA-MainConfigServCell-r12で構成されている場合、サービングセルのＵＬ／ＤＬ構成によって指示される無線フレームのダウンリンクサブフレーム内のみの構成済ＣＳＩ−ＩＭリソースは、サービングセルのついての干渉測定値を導出するために使用され得る。
ＬＡＡ  Ｓｃｅｌｌの場合、
−  チャネル測定の場合、ＵＥは複数のサブフレームからＣＲＳ／ＣＳＩ−ＲＳ測定値を平均するなら、
−  ＵＥは、サブフレームｎ１の任意のＯＦＤＭシンボル又はサブフレームｎ１＋１からサブフレームｎ２までの任意のサブフレームが占有されていない場合、後のサブフレームｎ２におけるＣＳＩ−ＲＳ測定値を用いて、サブフレームｎ１におけるＣＳＩ−ＲＳ測定値を平均すべきでない。
−  ＵＥは、サブフレームｎ１の第２のスロットの任意のＯＦＤＭシンボル、サブフレームｎ１＋１からサブフレームｎ２−１までの任意のサブフレームの任意のＯＦＤＭシンボル又はサブフレームｎ２の最初の３つのＯＦＤＭシンボルが占有されない場合、後のサブフレームｎ２におけるＣＲＳ測定値を用いてサブフレームｎ１におけるＣＲＳ測定を平均すべきでない。
−  干渉測定の場合、ＵＥは占有ＯＦＤＭシンボルを有するサブフレームにおける測定値のみに基づいて、ＣＱＩ値を計算するための干渉測定値を導出するものとする。
次の場合に、変調スキームとトランスポートブロックサイズの組み合わせはＣＱＩインデックスに対応する。
−  そのコンビネーションが関連するトランスポートブロックサイズテーブルに従って、ＣＳＩ基準リソースにおけるＰＤＳＣＨ上の伝送のためにシグナリングされることができ、
−  変調スキームはＣＱＩインデックスで指示され、かつ
−  基準リソースに適用されたときのトランスポートブロックサイズと変調スキームとの組み合わせがＣＱＩインデックスによって指示されるコードレート（code  rate）に可能な限り近い有効チャネルコードレートをもたらす。トランスポートブロックサイズと変調スキームとの複数の組み合わせが、ＣＱＩインデックスによって指示されるコードレートに等しく近い有効チャネルコードレートをもたらす場合、そのようなトランスポートブロックサイズのうちの最小のものとの組み合わせのみが関連する。
サービングセルに対するＣＳＩ基準リソースは、次のように定義される。
−  非ＢＬ／ＣＥ  ＵＥの場合、周波数領域において、ＣＳＩ基準リソースは、導出されたＣＱＩ値が関連する帯域に対応するダウンリンク物理リソースブロックのグループによって定義される。ＢＬ／ＣＥ  ＵＥの場合、周波数領域において、ＣＳＩ基準リソースは、導出されたＣＱＩ値が関連する狭帯域のいずれかに対するすべてのダウンリンク物理リソースブロックを含む。
−  時間領域において、非ＢＬ／ＣＥ  ＵＥの場合、
−  伝送モード１−９又はサービングセルに対して単一の構成済ＣＳＩプロセスを用いた伝送モード１０で構成されたＵＥの場合、ＣＳＩ基準リソースは、単一のダウンリンク又は特別サブフレームｎ−ｎＣＱＩ＿ｒｅｆによって定義され、
−  周期的ＣＳＩ報告の場合、ｎＣＱＩ＿ｒｅｆは４以上の最小値であり、それにより、有効なダウンリンク又は有効な特別サブフレームに対応する。
−  非周期的ＣＳＩ報告であって、ＵＥが上位レイヤのパラメータcsi-SubframePatternConfig-r12で構成されていない場合、
−  ｎＣＱＩ＿ｒｅｆは、基準リソースが、アップリンクＤＣＩフォーマットでの対応するＣＳＩ要求と同じ有効なダウンリンク又は有効な特別サブフレームにあるようなものである。
−  ｎＣＱＩ＿ｒｅｆは４に等しく、サブフレームｎ−ｎＣＱＩ＿ｒｅｆは、有効なダウンリンク又は有効な特別サブフレームに対応し、サブフレームｎ−ｎＣＱＩ＿ｒｅｆは、ランダムアクセス応答グラントにおいて対応するＣＳＩ要求を伴うサブフレームの後に受信される。
−  非周期的ＣＳＩ報告であって、ＵＥが上位レイヤのパラメータcsi-SubframePatternConfig-r12で構成されている場合、
−  伝送モード１−９で構成されているＵＥの場合、
−  ｎＣＱＩ＿ｒｅｆは４以上の最小値であり、サブフレームｎ−ｎＣＱＩ＿ｒｅｆは有効なダウンリンク又は有効な特別サブフレームに対応する。ここで、サブフレームｎ−ｎＣＱＩ＿ｒｅｆは、アップリンクＤＣＩフォーマットでの対応するＣＳＩ要求を伴うサブフレーム上又はその後に受信される。
−  ｎＣＱＩ＿ｒｅｆは４以上の最小値であり、サブフレームｎ−ｎＣＱＩ＿ｒｅｆは、有効なダウンリンク又は有効な特別サブフレームに対応する。ここで、サブフレームｎ−ｎＣＱＩ＿ｒｅｆは、ランダムアクセス応答グラントにおいて対応するＣＳＩ要求を伴うサブフレームの後に受信される。
−  上記の条件に基づいてｎＣＱＩ＿ｒｅｆについての有効な値がない場合、ｎＣＱＩ＿ｒｅｆは、基準リソースは、対応するＣＳＩ要求を伴うサブフレームの前の有効なダウンリンク又は有効な特別サブフレームｎ−ｎＣＱＩ＿ｒｅｆにあるような最小値である。ここで、サブフレームｎ−ｎＣＱＩ＿ｒｅｆは、無線フレーム内で最小インデックスを有する有効なダウンリンク又は有効な特別サブフレームである。
−  伝送モード１０で構成されているＵＥの場合、
−  ｎＣＱＩ＿ｒｅｆは、有効なダウンリンク又は有効な特別サブフレームに対応するように４以上の最小値であり、対応するＣＳＩ要求はアップリンクＤＣＩフォーマットである。
−  ｎＣＱＩ＿ｒｅｆは４以上の最小値であり、サブフレームｎ−ｎＣＱＩ＿ｒｅｆは有効なダウンリンク又は有効な特別サブフレームに対応する。サブフレームｎ−ｎＣＱＩ＿ｒｅｆは、ランダムアクセス応答グラントにおいて対応するＣＳＩ要求を伴うサブフレームの後に受信される。
−  サービングセル対して複数の構成済ＣＳＩプロセスを有する伝送モード１０で構成されているＵＥの場合、所与のＣＳＩプロセスに対するＣＳＩ基準リソースは、単一のダウンリンク又は特別サブフレームｎ−ｎＣＱＩ＿ｒｅｆによって定義され、
−  ＦＤＤサービングセル及び周期的又は非周期的ＣＳＩ報告の場合、ｎＣＱＩ＿ｒｅｆは、有効なダウンリンク又は有効な特別サブフレームに対応するように、５以上の最小値であり、非周期的ＣＳＩ報告の場合、対応するＣＳＩ要求はアップリンクＤＣＩフォーマットである。
−  ＦＤＤサービングセル及び非周期的ＣＳＩ報告の場合、ｎＣＱＩ＿ｒｅｆは５に等しく、サブフレームｎ−ｎＣＱＩ＿ｒｅｆは、有効なダウンリンク又は有効な特別サブフレームに対応する。サブフレームｎ−ｎＣＱＩ＿ｒｅｆは、ランダムアクセス応答グラントおいて対応するＣＳＩ要求を伴うサブフレームの後に受信される。
−  ＴＤＤサービングセル、２又は３の構成済ＣＳＩプロセス及び周期的又は非周期的ＣＳＩ報告の場合、ｎＣＱＩ＿ｒｅｆは、有効なダウンリンク又は有効な特別サブフレームに対応するように、４以上の最小値であり、非周期的ＣＳＩ報告の場合、対応するＣＳＩ要求はアップリンクＤＣＩフォーマットである。
−  ＴＤＤサービングセル、２又は３の構成済みＣＳＩプロセス及び非周期的ＣＳＩ報告の場合、ｎＣＱＩ＿ｒｅｆは、４に等しく、サブフレームｎ−ｎＣＱＩ＿ｒｅｆは有効なダウンリンク又は有効な特別サブフレームに対応する。ここで、サブフレームｎ−ｎＣＱＩ＿ｒｅｆは、ランダムアクセス応答グラントおいて対応するＣＳＩ要求を伴うサブフレームの後に受信される。
−  ＴＤＤサービングセル、４つの構成済ＣＳＩプロセス及び周期的又は非周期的ＣＳＩ報告の場合、ｎＣＱＩ＿ｒｅｆは、有効なダウンリンク又は有効な特別サブフレームに対応するように、５以上の最小値であり、非周期的ＣＳＩ報告の場合、対応するＣＳＩ要求はアップリンクＤＣＩフォーマットである。
−  ＴＤＤサービングセル、４つの構成済ＣＳＩプロセス及び非周期的ＣＳＩ報告の場合、ｎＣＱＩ＿ｒｅｆは５に等しく、サブフレームｎ−ｎＣＱＩ＿ｒｅｆは有効なダウンリンク又は有効な特別サブフレームに対応する。ここで、サブフレームｎ−ｎＣＱＩ＿ｒｅｆは、ランダムアクセス応答グラントおいて対応するＣＳＩ要求を伴うサブフレームの後に受信される。
−  時間領域において、ＢＬ／ＣＥ  ＵＥの場合、ＣＳＩ基準リソースは、ＢＬ／ＣＥダウンリンク又は特別サブフレームのセットによって定義される。ここで、最後のサブフレームがサブフレームｎ−ｎＣＱＩ＿ｒｅｆであり、
−  周期的ＣＳＩ報告の場合、ｎＣＱＩ＿ｒｅｆ≧４である。
−  非周期的ＣＳＩ報告の場合、ｎＣＱＩ＿ｒｅｆ≧４である。
ＣＳＩ基準リソースにおける各サブフレームは、有効なダウンリンク又は有効な特別サブフレームである。
−  広帯域ＣＳＩ報告場合：
−  ＢＬ／ＣＥダウンリンク又は特別サブフレームのセットは、各狭帯域内でＢＬ／ＣＥ  ＵＥによりＭＰＤＣＣＨ監視に使用されるｎ−ｎＣＱＩ＿ｒｅｆの前の最後の
【数３１】
2020022206.tif 000052
個のサブフレームのセットである。ここで、ＢＬ／ＣＥ  ＵＥがＭＰＤＣＣＨを監視し、ここで
【数３２】
2020022206.tif 000053
は、ＢＬ／ＣＥ  ＵＥがＭＰＤＣＣＨを監視する狭帯域の数である。
−  サブバンドＣＳＩ報告の場合：
−  ＢＬ／ＣＥダウンリンク又は特別サブフレームのセットは、ｎ−ｎＣＱＩ＿ｒｅｆの前の対応する狭帯域におけるＢＬ／ＣＥ  ＵＥによるＭＰＤＣＣＨ監視に使用される最後のＲＣＳＩ個のサブフレームのセットである。
−  ＲＣＳＩは上位レイヤのパラメータcsi-NumRepetitionCEによって与えられる。
次の場合に、サービングセルにおけるサブフレームは、有効なダウンリンク又は有効な特別サブフレームであるとみなされるものとする。
−  そのＵＥに対してダウンリンクサブフレーム又は特別サブフレームとして構成され、
−  異なるアップリンク−ダウンリンク構成を有する複数のセルがアグリゲートされ、ＵＥがアグリゲートあれたセル内で同時に受信及び送信を行うことができない場合、プライマリセル内のサブフレームは、７６８０・Ｔｓより長いＤｗＰＴＳの長さを有するダウンリンクサブフレーム又は特別サブフレームである。
−  伝送モード９又は１０の非ＢＬ／ＣＥ  ＵＥを除いて、ＭＢＳＦＮサブフレームではなく、
−  ＤｗＰＴＳの長さが７６８０・Ｔｓ以下である場合にＤｗＰＴＳフィールドを含まず、
−  Ｕに対して構成済測定値ギャップ内に入らず、
−  周期的ＣＳＩ報告の場合、ＵＥがＣＳＩサブフレームセットで構成されているときは、周期的ＣＳＩ報告にリンクされたＣＳＩサブフレームセットの要素であり、
−  複数の構成済ＣＳＩプロセスを有する伝送モード１０で構成されているＵＥであって、ＣＳＩプロセスのための非周期的ＣＳＩ報告の場合、ＵＥがＣＳＩプロセスのためのＣＳＩサブフレームセットで構成され、ＵＥが上位レイヤのパラメータcsi-SubframePatternConfig-r12で構成されていないとき、アップリンクＤＣＩフォーマットの対応するＣＳＩ要求を伴うダウンリンク又は特別サブフレームにリンクされたＣＳＩサブフレームセットの要素であり、
−  伝送モード１−９で構成されているＵＥであって、非周期的ＣＳＩ報告の場合、ＵＥが上位レイヤのパラメータcsi-SubframePatternConfig-r12によってＣＳＩサブフレームセットで構成されているとき、アップリンクＤＣＩフォーマットの対応するＣＳＩ要求に関連づけられたＣＳＩサブフレームセットの要素であり、
−  伝送モード１０で構成されたＵＥであって、ＣＳＩプロセスのための非周期的ＣＳＩ報告の場合、ＵＥがＣＳＩプロセスのための上位レイヤのパラメータcsi-SubframePatternConfig-r12によるＣＳＩサブフレームセットで構成されているとき、アップリンクＤＣＩフォーマットでの対応するＣＳＩ要求に関連するＣＳＩサブフレームセットの要素である。
−  サービングセルがＬＡＡ  Ｓｃｅｌｌであり、サブフレーム内の少なくとも１つのＯＦＤＭシンボルが占有されていない場合を除く。
−  サービングセルがＬＡＡ  Ｓｃｅｌｌであり、［３］の６．１０．１．１節で説明する
【数３３】
2020022206.tif 000054
である場合を除く。
−  サービングセルがＬＡＡ  Ｓｃｅｌｌであり、伝送モード９又は１０で構成されているＵＥの場合を除き、ＣＳＩプロセスに関連する構成済ＣＳＩ−ＲＳリソースは、サブフレームにない。
−  非ＢＬ／ＣＥ  ＵＥの場合、サービングセル内のＣＳＩ基準リソースに対して有効なダウンリンク又は有効な特別サブフレームがないなら、ＣＳＩ報告は、アップリンクサブフレームｎにおいてサービングセルに対して省略される。
−  レイヤ領域において、ＣＳＩ基準リソースは、ＣＱＩが調整されるＲＩ及びＰＭＩによって定義される。
ＣＳＩ基準リソースにおいて、ＵＥは、ＣＱＩインデックス並びに構成されているならＰＭＩ及びＲＩも導出するために次の事項を仮定する。
−  最初の３つのＯＦＤＭシンボルは、制御シグナリングによって占有されている。
−  プライマリ又はセカンダリ同期信号又はＰＢＣＨ若しくはＥＰＤＣＣＨによって使用されるリソース要素はない。
−  非ＭＢＳＦＮサブフレームのＣＰ長
−  冗長バージョン（Redundancy  Version）０
−  ＣＳＩ−ＲＳがチャネル測定に使用される場合、ＰＤＳＣＨ  ＥＰＲＥのＣＳＩ−ＲＳ  ＥＰＲＥに対する比は７．２．５項で与えられる通りである。
−  非ＢＬ／ＣＥ  ＵＥが伝送モード９でＣＳＩ報告の場合：
−  ＣＲＳ  ＲＥは非ＭＢＳＦＮサブフレームにあるようなものである。
−  ＵＥがＰＭＩ／ＲＩ報告のために、あるいはＰＭＩ報告なしで構成されている場合、複数のＣＳＩ−ＲＳポートが構成されているなら、ＵＥ固有の基準信号オーバヘッドは最新の報告されたランクと一致し、１つのＣＳＩ−ＲＳポートのみが構成されているなら、ランク１伝送と一致する。ν個のレイヤのためのアンテナポート｛７．．．６＋ν｝上のＰＤＳＣＨ信号は、
【数３４】
2020022206.tif 000055
で与えられるように、アンテナポート｛１５．．．１４＋Ｐ｝上で送信される対応するシンボルに相当する信号をもたらす。ここで、
【数３５】
2020022206.tif 000056
は、［３］の６．３．３．２項のレイヤマッピングからのシンボルのベクトルであり、Ｐ∈｛１，２，４，８，１２，１６｝は、構成済ＣＳＩ−ＲＳポートの数であり、１つのＣＳＩ−ＲＳポートのみが構成される場合、Ｗ（ｉ）は１であり、そうでないなら、ＰＭＩ／ＲＩ報告のために構成されているＵＥについては、Ｗ（ｉ）はｘ（ｉ）に適用可能な報告されたＰＭＩに対応するプリコーディング行列であり、ＰＭＩ報告なしで構成されているＵＥについては、Ｗ（ｉ）はｘ（ｉ）に適用可能な報告されたＣＱＩに対応する選択されたプリコーディング行列である。アンテナポート｛１５．．．１４＋Ｐ｝上で送信される対応するＰＤＳＣＨ信号は、７．２．５項で与えられる比に等しい、ＥＰＲＥのＣＳＩ−ＲＳ  ＥＰＲＥに対する比を有する。
−  伝送モード１０でＣＳＩ報告の場合、ＣＳＩプロセスがＰＭＩ／ＲＩ報告なしで構成されている場合：
−  関連するＣＳＩ−ＲＳリソースのアンテナポートの数が１である場合、ＰＤＳＣＨ送信はシングルアンテナポート、ポート７上にある。アンテナポート｛７｝のチャネルは、関連するＣＳＩ−ＲＳリソースのアンテナポート｛１５｝のチャネルから推測される。
−  ＣＲＳ  ＲＥは非ＭＢＳＦＮサブフレームにあるようなものである。ＣＲＳオーバヘッドは、サービングセルのＣＲＳアンテナポートの数に対応するＣＲＳオーバヘッドと同じであると仮定する。
−  ＵＥ固有の基準信号オーバヘッドは、ＰＲＢ対ごとに１２個のＲＥである。
−  それ以外の場合
−  関連するＣＳＩ−ＲＳリソースのアンテナポートの数が２である場合、ＰＤＳＣＨ伝送スキームは、アンテナポート｛０，１｝上のチャネルが、関連するＣＳＩリソースのアンテナポート｛１５，１６｝上のチャネルからそれぞれ推測される場合を除き、アンテナポート｛０，１｝について７．１．２項で定義される送信ダイバーシティスキームを仮定する。
−  関連するＣＳＩ−ＲＳリソースのアンテナポートの数が４である場合、ＰＤＳＣＨ伝送スキームは、アンテナポート｛０，１，２，３｝上チャネルが、関連するＣＳＩ−ＲＳリソースのアンテナポート｛１５，１６，１７，１８｝上のチャネルからそれぞれ推測される場合を除き、アンテナポート｛０，１，２，３｝について７．１．２項で定義される送信ダイバーシティスキームを仮定する。
−  ＰＭＩ／ＲＩ報告なしで構成されるＣＳＩプロセスに関連するＣＳＩ−ＲＳリソースのために４つ以上のアンテナポートでＵＥが構成されることは期待されない。
−  ＣＲＳ  ＲＥのオーバヘッドは、関連するＣＳＩ−ＲＳリソースと同じ数のアンテナポートを仮定している。
−ＵＥ固有の基準信号オーバヘッドはゼロである。
−  伝送モード１０でＣＳＩ報告の場合、ＰＭＩ／ＲＩ報告ありであるいはＰＭＩ報告なしでＣＳＩプロセスが構成されている場合：
−  ＣＲＳ  ＲＥは非ＭＢＳＦＮサブフレームにあるようなものである。ＣＲＳオーバヘッドは、サービングセルのＣＲＳアンテナポートの数に対応するＣＲＳオーバヘッドと同じであると仮定される。
−  複数のＣＳＩ−ＲＳポートが構成されている場合、ＵＥ固有の基準信号オーバヘッドはＣＳＩプロセスに対して最新の報告されたランクと一致し、１つのＣＳＩ−ＲＳポートのみが構成されている場合、ランク１伝送と一致する。ν個のレイヤのためのアンテナポート｛７．．．６＋ν｝上のＰＤＳＣＨ信号は、
【数３６】
2020022206.tif 000057
で与えられるように、アンテナポート｛１５．．．１４＋Ｐ｝上で送信される対応するシンボルに相当する信号をもたらす。ここで、
【数３７】
2020022206.tif 000058
は、［３］の６．３．３．２項のレイヤマッピングからのシンボルのベクトルであり、Ｐ∈｛１，２，４，８，１２，１６｝は、関連するＣＳＩ−ＲＳリソースのアンテナポートの数であり、Ｐ＝１の場合、Ｗ（ｉ）は１であり、そうでないなら、ＰＭＩ／ＲＩ報告のために構成されているＵＥについては、Ｗ（ｉ）はｘ（ｉ）に適用可能な報告されたＰＭＩに対応するプリコーディング行列であり、ＰＭＩ報告なしで構成されているＵＥについては、Ｗ（ｉ）はｘ（ｉ）に適用可能な報告されたＣＱＩに対応する選択されたプリコーディング行列である。アンテナポート｛１５．．．１４＋Ｐ｝上で送信される対応するＰＤＳＣＨ信号は、７．２．５項で与えられる比に等しい、ＥＰＲＥのＣＳＩ−ＲＳ  ＥＰＲＥに対する比を有する。
−  ＣＳＩ−ＲＳ及びゼロ電力ＣＳＩ−ＲＳに割り当てられるＲＥはないと仮定する。
−  ＰＲＳに割り当てられるＲＥはないと仮定する。
−  表７．２．３−０に示すＰＤＳＣＨ伝送スキームは、ＵＥのために現在構成されている伝送モード（デフォルトモードでもよい）に依存する。
−  ＣＲＳがチャネル測定に使用される場合、ＰＤＳＣＨ  ＥＰＲＥのセル固有のＲＳ  ＥＰＲＥに対する比は、５．２節に与えられる通りであるが、ρＡの例外が仮定されるものとする。
−  任意の変調スキームに対して、ＵＥが４つのセル固有のアンテナポートを有し、伝送モード２で構成されるかあるいは４つのセル固有のアンテナポートを有し伝送モード３で構成され、関連するＲＩが１に等しい場合、ρＡ＝ＰＡ＋Δｏｆｆｓｅｔ＋１０ｌｏｇ１０（２）［ｄＢ］である。
−  それ以外、任意の変調スキーム及び任意の数のレイヤに対して、ρＡ＝ＰＡ＋Δｏｆｆｓｅｔ［ｄＢ］である。
シフトΔｏｆｆｓｅｔは、上位レイヤのシグナリングによって構成されるパラメータnomPDSCH-RS-EPRE-Offsetによって与えられる。
［“ＣＳＩ基準リソースに対して想定されるＰＤＳＣＨ伝送スキーム”と題する、３ＧＰＰ  ＴＳ  ３６．２１３  ｖ１３．１．１の表７．２．３−０は、図１１として再現されている］
［“４ビットＣＱＩテーブル”と題する、３ＧＰＰ  ＴＳ  ３６．２１３  ｖ１３．１．１の表７．２．３−１は、図１２として再現されている］
［“４ビットＣＱＩテーブル２”と題する、３ＧＰＰ  ＴＳ  ３６．２１３  ｖ１３．１．１の表７．２．３−２は、図１３として再現されている］
［“４ビットＣＱＩテーブル３”と題する、３ＧＰＰ  ＴＳ  ３６．２１３  ｖ１３．１．１の表７．２．３−３は、図１４として再現されている］
【００３８】
上述したように、ビームフォーミングのための物理レイヤ手順は、概して、マルチビームベースのアプローチを必要とする。マルチビームベースのアプローチの一例は、ビーム掃引である。ビーム掃引が信号（又はチャネル）に適用される場合、信号（チャネル）は、有限の持続時間内に複数の時間インスタンスにある複数のビームで送信／受信される。例えば、図１５に示すように、ｅＮＢは必要なセルエリアに対して８本のビームを必要とする。ビーム発見／ビーム追跡を助けるために、ｅＮＢは、８つのＢＲＳのうちの４つで一度に信号を送信し、次いで別の時間に８つのビームのうちの他の４つで信号を送信することができる。ｅＮＢビームを検出／区別するために、ｅＮＢはビーム追跡／ビーム発見のためにビームごとの基準信号を送信することができる。図１５に示すように、ｅＮＢは、１つのビーム上に１つのビーム基準信号（ＢＲＳ：Beam  reference  signal）を送信する。ここで、異なるビームは異なる個別のＢＲＳに関連付けられる。
【００３９】
チャネル測定及びデータ／制御伝送に関して、ｅＮＢは、ＵＥに対して１つ以上のビームを利用することができる。これは、ｅＮＢが、ＵＥ復調のために復調基準信号(ＤＭＲＳ：Demodulation  Reference  Signal）を用いてデータ伝送を送信することができることを意味する。データ及びＤＭＲＳは伝送でビーム１及び２で送信され、別の伝送でビーム２及び４で送信される。ビームが別個のＤＭＲＳを有さない場合、ＵＥは、どのビームが利用されるかについて、透過的（transparent）又は不可知論的（agnostic）であることがある。制御伝送のためのＤＭＲＳ及びチャネル測定のためのチャネル状態情報基準信号（ＣＳＩ−ＲＳ：Channel  State  Information-Reference  Signal）についてと同様に、ＵＥは、制御のためのＤＭＲＳ及びＣＳＩ−ＲＳがビームごとの基準信号でない場合、どのビームが利用されるかについて、透過的又は不可知論的であることがある。
【００４０】
背景技術に示すように、ＬＴＥシステムでは、ＵＥは、ＣＲＳを測定することを介してパスロス値を導出する。パスロス値ＰＬは、ＵＥ伝送電力導出に利用される。ｅＮＢは、ＬＴＥの各サブフレームにおいてＣＲＳを送信する。しかし、マルチビームベースのアプローチの場合、ＢＲＳは、例えば、１０ｍｓごとで送信されるインスタンスに対して、各サブフレーム／送信時間間隔（ＴＴＩ：Transmission  Time  Interval）で送信されないことがある。ＵＥのためのＣＳＩ−ＲＳ及びＤＭＲＳは、同様に各サブフレーム／ＴＴＩにおいて利用可能ではないことがある。また、ＢＲＳ／ＤＭＲＳ／ＣＳＩ−ＲＳは異なるｅＮＢビームから送信されることがあるため、ダウンリンク（ＤＬ：Downlink）基準信号（ＲＳ：Reference  Signal）ごとにパスロス導出結果が異なることがあり、ＵＥ電力の無駄がなくｅＮＢ側での受信ＳＩＮＲを満たすために、ＵＥがＵＬ伝送電力決定のための適切なパスロス値を導出／選択する方法を考慮することが必要である。
【００４１】
アプローチ１  −  このアプローチでは、ＵＥは、異なるＤＬ  ＲＳから導出される複数のパスロス値を維持する。各タイプのＵＬ伝送は、パスロス決定のために少なくとも１つのＤＬ  ＲＳに関連する。異なるタイプのＵＬ伝送が、パスロス決定のために異なるＤＬ  ＲＳに関連してもよい。関連は、指定又は構成されるあるいは動的に変更され得る。ＤＬ  ＲＳは、ビーム追跡／ビーム発見のための基準信号、制御復調のための基準信号、データ復調のための基準信号、チャネル測定のための基準信号及び／又はパスロスのための基準信号を含み得る。パスロス値は、持続時間に対して有効とすることができる。
【００４２】
より詳細には、ビーム追跡／ビーム発見のための基準信号はビーム基準信号（ＢＲＳ）である。有効な持続時間は、ＢＲＳ伝送の１つ以上の周期であり得る。代替的には、ＢＲＳから導出されたパスロス値が、次回のビーム追跡が実行されるまで有効である。ＢＲＳを用いると、ＵＥは、少なくとも適格なチャネル品質を有するｅＮＢビームについて、ｅＮＢビームごとのパスロスを推定することができる。適格なチャネル品質を有するｅＮＢビームとは、ある閾値よりも大きい基準信号受信電力（ＲＳＲＰ：Referenced  Signal  Received  Power）若しくは信号対干渉雑音比(ＳＩＮＲ：Signal  to  Noise  and  Interference  Ratio）を有するビーム又はある閾値よりも小さいＰＬを有するビームを意味し得る。代替的には、適格なチャネル品質を有するｅＮＢビームとは、最良のチャネル品質を有するｅＮＢビームと比較して、ある閾値よりも小さい、ＲＳＲＰ若しくはＳＩＮＲ又はＰＬ（絶対）の差を有するビームを意味し得る。ＢＲＳから導出されたパスロス値は、ＵＬデータ、サウンディング基準信号（ＳＲＳ：Sounding  Reference  Signal）、ＵＬ制御、ＨＡＲＱ−ＡＣＫフィードバック、ＣＳＩ報告、スケジューリング要求(ＳＲ：Scheduling  Request）のいずれか等、複数のタイプのＵＬ（アップリンク）伝送に利用され得る。
【００４３】
ＵＬ伝送電力決定の場合、ＵＥは、例えば、どのｅＮＢビームがＵＬ受信に利用されるかに応じて、適切な合成パスロス値を選択／導出することができる。１つの方法は、特定のｅＮＢビームのパスロス値を利用することである。ＵＬ制御チャネル及び／又はチャネル測定のためのＳＲＳの場合、ｅＮＢは、受信成功を保証するために少なくとも最良の適格なｅＮＢビームを使用すると仮定することができる。従って、最良のチャネル品質を有するｅＮＢビームのパスロス値は、特定のｅＮＢビームとすることができ、特定のｅＮＢビームのパスロス値は、ＵＬ制御チャネル及び／又はチャネル測定のためのＳＲＳに関連付けられることができる。これは、特定のｅＮＢビームのパスロス値が、ＵＬ制御チャネル及び／又はチャネル測定のためのＳＲＳのＵＥ伝送電力決定に利用されることを意味する。ＵＬ制御チャネルは、ＳＲ、周期的ＣＳＩ、ＨＡＲＱ−ＡＣＫ、非周期的ＣＳＩ、及びもしあればビーム報告のためのチャネルを含み得る。
【００４４】
プリアンブルの場合、最良のチャネル品質でｅＮＢビームのパスロス値を選択することにより、他のｅＮＢビームに対する潜在的な干渉を低減することができる。従って、最良のチャネル品質を有するｅＮＢビームのパスロス値は、特定のｅＮＢビームとすることができ、特定のｅＮＢビームのパスロス値は、プリアンブルに関連付けられることができる。これは、特定のｅＮＢビームのパスロス値がプリアンブルのＵＥ伝送電力決定に利用されることを意味する。
【００４５】
別の方法は、選択／合成されたパスロス値を利用することである。ＵＬデータチャネルの場合、ｅＮＢは、スケジューリングの柔軟性のために異なるｅＮＢビームを選択することができる。ＵＥは、伝送電力決定のためにｅＮＢ受信ビームの情報を必要とする。さらに、ｅＮＢ受信ビームの数は、合成パスロス導出のためのパラメータであってもよい。情報は、対応する制御シグナリングに示され得る。その情報に基づいて、ＵＥは、指示されたｅＮＢ受信ビームのうち、平均パスロス値、ビームごとに異なる重み付けを有する平均パスロス値、最大のパスロス値又は最小のパスロス値のうちの１つの値を選択することができる。ＵＬデータチャネルは、ＵＬデータ伝送、非周期的ＣＳＩ、ＨＡＲＱ−ＡＣＫを含み得る。ビーム掃引のためのＳＲＳの場合、ｅＮＢが有限の持続時間内にすべてのｅＮＢビームからＳＲＳを受信すると仮定し、ＵＥは、的確なチャネル品質を有するｅＮＢビームのうち、平均パスロス値、ビームごとに異なる重み付けを有する平均パスロス値、最大のパスロス値又は最小のパスロス値のうちの１つの値を選択することができる。簡略化のために、チャネル測定のためのＳＲＳは、ビーム掃引のためのＳＲＳと同じパスロスを利用することができる。
【００４６】
より詳細には、制御復調のための基準信号は、制御のためのＤＭＲＳである。有効な持続時間は、１つのＴＴＩ又は１つのサブフレームとすることができる。代替的には、制御のためのＤＭＲＳから導出されるパスロス値は、受信した制御シグナリングに関連するＵＬ伝送に対して有効である。関連するＤＬ制御シグナリングを伴うＵＬ送信の場合、ｅＮＢがＤＬ制御シグナリング及び関連するスケジューリングされたＵＬ伝送に対して同じｅＮＢビームを利用すると仮定すれば、ＵＬ伝送のＵＬ伝送電力決定のためのパスロス値は、関連するＤＬ制御シグナリングのためにＤＭＲＳによって測定され得る。
【００４７】
しかし、ＵＬ伝送のためのｅＮＢ受信ビームがＤＬ制御シグナリングのためのｅＮＢ送信ビームと同じでない場合、ＵＬ伝送のＵＬ伝送電力決定のためのパスロス値は、同じｅＮＢビームを指示する／示唆する指示がない限り、ＤＬ制御シグナリングのためにＤＭＲＳから導出されないことがある。ＤＬ制御シグナリングに関連するＵＬ伝送は、ＵＬデータ伝送、非周期的ＣＳＩ、非周期的ＳＲＳ、ＤＬ制御シグナリングのためのＨＡＲＱ−ＡＣＫ及び／又はＤＬデータ伝送のためのＨＡＲＱ−ＡＣＫを含み得る。
【００４８】
より詳細には、ＤＬデータ復調のための基準信号は、データのためのＤＭＲＳである。有効な持続時間は、１つのＴＴＩ又は１つのサブフレームとすることができる。代替的には、データのためのＤＭＲＳから導出されるパスロス値は、受信したＤＬデータ伝送に関連するＵＬ伝送に対して有効である。関連するＤＬデータ伝送伴うＵＬ伝送の場合、ｅＮＢがＤＬデータ伝送及び関連するＵＬ伝送に対して同じｅＮＢビームを利用すると仮定すれば、ＵＬ伝送のＵＬ伝送電力決定のためのパスロス値は、関連するＤＬデータ伝送のためにＤＭＲＳによって測定され得る。
【００４９】
しかし、ＵＬ伝送のためのｅＮＢ受信ビームがＤＬデータ伝送のためのｅＮＢ送信ビームと同じでない場合、ＵＬ伝送のＵＬ伝送電力決定のためのパスロス値は、同じｅＮＢビームを指示する／示唆する指示がない限り、ＤＬデータ伝送のためにＤＭＲＳから導出されないことがある。ＤＬデータ伝送に関連するＵＬ伝送は、ＤＬデータ伝送のためのＨＡＲＱ−ＡＣＫを含み得る。
【００５０】
より詳細には、チャネル測定のための基準信号はＣＳＩ−ＲＳである。有効な持続時間は、１つのＴＴＩ又は１つのサブフレームとすることができる。代替的には、ＣＳＩ−ＲＳから導出されるパスロス値は、対応する受信したＣＳＩ−ＲＳから測定されたＣＳＩ報告を含むＵＬ伝送に対して有効である。ＵＥは、ＣＳＩ−ＲＳリソース／プロセスに応じてＣＳＩ−ＲＳを測定する。各ＣＳＩ−ＲＳ伝送に対してどのｅＮＢビームが利用されるかは、ＵＥに透過的であり得る。ｅＮＢがＣＳＩ報告に基づいてデータ伝送をスケジューリングし得ることを考慮すると、データ伝送のためのｅＮＢビームがＣＳＩ−ＲＳリソース／プロセスの１つに関連し得ると示唆することができる。１つの可能な方法は、データ伝送のＵＬ伝送電力が、１つの関連するＣＳＩ−ＲＳリソース／プロセスのパスロス値から導出されることである。ここで、関連するＣＳＩ−ＲＳリソース／プロセスは制御シグナリングで指示され得る。さらに、ＣＳＩ−ＲＳ上のｅＮＢ送信ビームの数が、ＣＳＩ−ＲＳからのパスロス値導出のためのパラメータとすることができる。
【００５１】
より詳細には、パスロスのための基準信号はパスロスＲＳである。ｅＮＢは、後に関連するＵＬ  ＴＴＩ又はＵＬサブフレームにおける期待されるｅＮＢ受信ビームに応じて、１つ以上のパスロスＲＳを事前に提供する。ＵＥ側から、ＵＥがＵＬ送信を送信する前に、ＵＥは、関連するパスロスＲＳ測定値に応じてパスロス値を事前に決定することができる。パスロスＲＳと関連するＵＬ  ＴＴＩ又はＵＬサブフレームとの間のタイミング間隔は、図１６に示すように、シグナリングによって指定若しくは構成又は指示される。
【００５２】
図１６に示すように、ｅＮＢは、ＵＬ３のビームパターンを介してＵＥからＵＬ伝送を受信することを期待する。ｅＮＢは、ＵＬ３と同じ（／類似する／重複した）ビームパターンでＰＬ  ＲＳ３を送信し、ＵＥは、ＰＬ  ＲＳ３から導出されるパスロス値に基づいてＵＬ伝送電力を決定する。パスロスＲＳから導出されたパスロス値は、ＵＬデータ、ＳＲＳ、ＵＬ制御、ＨＡＲＱ−ＡＣＫ、ＣＳＩ報告、非競合ベースのプリアンブル及びＳＲのいずれか等、複数のタイプのＵＬ伝送に利用され得る。パスロスＲＳがＵＥ固有である場合、ＵＬ伝送電力決定のためのパスロスＲＳは、上位レイヤにより構成されるあるいは制御シグナリングにおいて指示され得る。
【００５３】
ｅＮＢは、どのＵＥ及びどのビームから競合ベースのプリアンブルがやってくるかを予測することができないため、（競合ベースの）プリアンブルにＵＥ固有のパスロスＲＳから導出されたパスロス値を利用できないことがある。パスロスＲＳがセル固有又はＴＲＰ固有の場合、導出されたパスロス値は、一部のＵＥの実際のパスロスよりも低いことがある。いくつかの補償方法が必要なことがある。ＵＥは、いくつかのＤＬタイミングにおいてパスロスＲＳを測定することができる。ここで、ＤＬタイミングは、すべてのＴＴＩ／すべてのサブフレーム又はいくつかの構成されたＴＴＩ／サブフレームとすることができる。パスロスＲＳとＵＬ伝送との間の関連を指定又は構成することができる。さらに、パスロスＲＳと関連するＵＬ伝送との間のタイミング差を指定又は構成することができる。例えば、ＵＥは、ＳＲ構成のようなＵＬ伝送構成を含むメッセージを受信し、ＵＬ伝送構成に関連するＤＬ  ＲＳ（パスロス）を測定するタイミング／リソース情報をメッセージ内に含めることができる。
【００５４】
ＤＬ  ＲＳとＵＬ伝送のタイプとの間の関連を図１７に要約する。ＵＬ伝送が異なるＤＬ  ＲＳに関連付けられている場合、優先ルールが要求されることがある。１つの優先ルールでは、最新の関連するＤＬ  ＲＳから導出されたパスロス値がＵＬ伝送のＵＬ伝送電力を決定するために利用される。別の優先ルールの規則では、ＤＭＲＳ／ＣＳＩ−ＲＳから導出された有効なパスロス値が、ＢＲＳから導出された有効なパスロス値の代わりに、いくつかのタイプのＵＬ伝送のＵＬ伝送電力を決定するために利用される。いくつかのタイプのＵＬ伝送は、ＵＬデータ伝送、非周期的ＣＳＩ報告、非周期的ＳＲＳ、チャネル測定のためのＳＲＳ、ＨＡＲＱ−ＡＣＫを含み得る。
【００５５】
代替的には、ＢＲＳから導出された有効なパスロス値が、ＤＭＲＳ／ＣＳＩ−ＲＳから導出された有効なパスロス値の代わりに、いくつかのタイプのＵＬ伝送のＵＬ伝送電力を決定するために利用される。いくつかのタイプのＵＬ伝送は、ＳＲ、周期的ＣＳＩ報告、周期的ＳＲＳ、ビーム掃引のためのＳＲＳを含み得る。さらに、ＤＭＲＳ／ＣＳＩ−ＲＳから導出された有効なパスロス値が、パスロスＲＳから導出された有効なパスロス値の代わりに、ＵＬ伝送電力を決定するために利用される。パスロスＲＳから導かれた有効なパスロス値が、ＢＲＳから導出された有効なパスロス値の代わりに、ＵＬ伝送電力を決定するために利用される。代替的には、パスロスＲＳから導出された有効なパスロス値が、ＤＭＲＳ／ＣＳＩ−ＲＳから導出された有効なパスロス値の代わりに、ＵＬ伝送電力を決定するために利用される。
【００５６】
アプローチ２  −  このアプローチでは、ＵＥは１つのパスロス値を維持する。パスロス値は、パスロスのための基準信号から測定／導出されることができる。代替的には、パスロス値は、最良の適格なチャネル品質を有する１つの特定のｅＮＢビームのビーム基準信号から測定／導出され得る。ｅＮＢは、各タイプのＵＬ伝送に対して電力オフセットを提供して、異なる複数のｅＮＢビーム受信による電力差を補償する。さらに、ＴＰＣコマンドによって調整された１つの電力状態は、複数のタイプのＵＬ伝送に適用され得る。
【００５７】
ｅＮＢは、ＵＥ又はＳＲＳ掃引測定からのビームごとのチャネル品質報告に基づいて、各ｅＮＢビームのパスロス値を推定することができる。推定は、ｅＮＢが各タイプのＵＬ伝送に対して適切な電力オフセットを選択するのを助ける。電力オフセットを、異なるタイプのＵＬ伝送に対して構成又は指示することができる。より詳細には、電力オフセットが上位レイヤによる構成又はＭＡＣ  ＣＥから提供される場合、そのタイプのＵＬ伝送は、（競合ベースの）プリアンブル、ＳＲ、周期的ＣＳＩ（すべてのＣＳＩ−ＲＳリソース／プロセスに対する１つの電力オフセット又は各ＣＳＩ−ＲＳリソース／プロセスのための１つの電力オフセット）及び／又は周期的ＳＲＳを含む。ＤＬ制御シグナリングから電力オフセットが指示される場合、そのタイプのＵＬ送信は、制御シグナリングなしのＵＬデータ、制御シグナリングを伴うＵＬデータ、非周期的ＣＳＩ、非周期的ＳＲＳ、ＤＬ制御シグナリングのためのＨＡＲＱ−ＡＣＫ、ＤＬデータ伝送のためのＨＡＲＱ−ＡＣＫ及び／又は非競合ベースのプリアンブルを含み得る。さらに、ＤＬ制御シグナリングは、いくつかの構成された電力オフセット値の１つを指示することができる。
【００５８】
パスロスのための基準信号に関して、ｅＮＢは、例えば、図１６に示すように、期待されるｅＮＢ受信ビームに応じて、後に関連するＵＬ  ＴＴＩ又はＵＬサブフレームにおける１つ以上のパスロスＲＳを事前に提供する。ｅＮＢは、ＵＬ２のビームパターンを介してＵＥからＵＬ伝送を受信することを期待する。ｅＮＢは、ＵＬ２と同じ（／類似／重複した）ビームパターンでＰＬ  ＲＳ２を送信し、ＵＥは、ＰＬ  ＲＳ２から導出されるパスロス値に基づいてＵＬ伝送電力を決定し得る。ｅＮＢが、ＵＬ１〜４を含まないビームパターンを介して別のＵＥからＵＬ伝送を受信した場合、電力オフセットがＵＥからのＵＬ伝送の電力差を補償することができる。
【００５９】
ＵＥ側から、ＵＥがＵＬ伝送を送信する前に、ＵＥは、関連するパスロスＲＳ測定値及び関連する電力オフセットに応じて、パスロス値を事前に決定することができる。パスロスＲＳから導出されたパスロス値は、ＵＬデータ、ＳＲＳ、ＵＬ制御、ＨＡＲＱ−ＡＣＫ、ＣＳＩ報告、非競合ベースのプリアンブル及びＳＲのいずれか等、複数のタイプのＵＬ伝送に利用され得る。
【００６０】
パスロスＲＳがＵＥ固有である場合、ＵＬ伝送電力決定のためのパスロスＲＳは、上位レイヤにより構成されるあるいは制御シグナリングで指示され得る。ｅＮＢは、どのＵＥ及びどのビームから競合ベースのプリアンブルが到来するかを予測することができないので、ＵＥ固有のパスロスＲＳから導出されたパスロス値は、（競合ベースの）プリアンブルに利用することができない。
【００６１】
パスロスＲＳがセル固有又はＴＲＰ固有である場合、導出されたパスロス値は、いくつかのＵＥに対する実パスロスとは異なることがある。電力オフセット方法はその差を補償ことができる。ＵＥは、いくつかのＤＬタイミングにおいてパスロスＲＳを測定することができ、ＤＬタイミングは、すべてのＴＴＩ／すべてのサブフレーム又はいくつかの構成されたＴＴＩ／サブフレームとすることができる。パスロスＲＳとＵＬ伝送との間の関連を指定又は構成することができる。さらに、パスロスＲＳと関連するＵＬ伝送との間のタイミング差を指定又は構成することができる。例えば、ＵＥは、ＳＲ構成のようなＵＬ伝送構成を含むメッセージを受信することができ、ＵＬ伝送構成に関連する測定（パスロス）ＤＬ  ＲＳのタイミング／リソース情報をメッセージ内に含むことができる。
【００６２】
図１８は、１つの例示的な実施形態による、ＵＥの観点からのフローチャート１８００である。ステップ１８０５において、ＵＥは、第１の基準信号から測定された第１のパスロス値を導出する。ステップ１８１０において、ＵＥは、第２の基準信号から測定された第２のパスロス値を導出する。ステップ１８１５において、ＵＥは、第１のＵＬ伝送を送信する。ここで、第１のＵＬ伝送のＵＬ伝送電力は、第１のパスロス値から導出される。ステップ１８２０において、ＵＥは、第２のＵＬ伝送を送信し、第２のＵＬ伝送のＵＬ伝送電力は、第２のパスロス値から導出される。
【００６３】
一実施形態では、第１の基準信号及び第２の基準信号を異なるビームで送信することができ、ｅＮＢによって異なるビームで受信することができる。さらに、第１のＵＬ伝送及び第２のＵＬ伝送は、異なるタイプのＵＬ伝送とすることができる。
【００６４】
一実施形態では、第１のＵＬ伝送のタイプは、パスロス導出のための第１の基準信号に少なくとも関連し、第２のＵＬ伝送のタイプは、パスロス導出のための第２の基準信号に少なくとも関連する。さらに、ＵＬ伝送のタイプと基準信号との間の関連を指定又は構成するあるいはシグナリングを介して指示することができる。
【００６５】
一実施形態では、第１の基準信号は、ビーム追跡／ビーム発見のための基準信号、制御復調のための基準信号、データ復調のための基準信号、チャネル測定のための基準信号又はパスロスのための基準信号のうちの少なくとも１つとすることができる。一実施形態では、第２の基準信号は、ビーム追跡／ビーム発見のための基準信号、制御復調のための基準信号、データ復調のための基準信号、チャネル測定のための基準信号又はパスロスのための基準信号のうちの少なくとも１つとすることができる。さらに、ビーム追跡／ビーム発見のための基準信号はビーム基準信号である。さらに、ビーム追跡／ビーム発見のための基準信号は、ビーム固有であり、異なるビームは、ビーム追跡／ビーム発見のための異なる別個の基準信号に対応する。
【００６６】
一実施形態では、ビーム追跡／ビーム発見のための基準信号から導出されたパスロス値は、次回のビーム追跡が実行されるまで有効である。さらに、ビーム追跡／ビーム発見のための基準信号から導出されたパスロス値の有効期間は、ビーム追跡／ビーム発見のための基準信号の１つ以上の周期とすることができる。
【００６７】
一実施形態では、ＵＥは、少なくとも適格なチャネル品質を有するビームについて、ビーム追跡／ビーム発見のための基準信号から測定されたビームごとのパスロスを導出する。さらに、パスロス導出のために、ビーム追跡／ビーム発見のための少なくとも基準信号に関連するＵＬ伝送のタイプは、ＵＬデータ伝送、ＳＲＳ、ＵＬ制御チャネル、ＨＡＲＱ−ＡＣＫフィードバック、ＣＳＩ報告及びＳＲを含む。
【００６８】
一実施形態では、最良のチャネル品質を有するビームのパスロス値が、関連するタイプのＵＬ伝送のＵＬ伝送電力を導出するために利用され得る。さらに、最良のチャネル品質を有するビームのパスロス値に関連するＵＬ伝送のタイプは、プリアンブル、ＳＲ、周期的ＣＳＩ、チャネル測定のためのＳＲＳ、ＨＡＲＱ−ＡＣＫ、非周期的ＣＳＩ及び／又はビーム報告のための新しいチャネルを含み得る。さらに、関連するタイプのＵＬ伝送のＵＬ伝送電力を導出するためのパスロス値は、複数のビームのうちの選択された値又は合成されたパスロス値とすることができる。ここで、複数のビームは、シグナリングを介して指示されるあるいは構成され得る。さらに、選択されたパスロス値は、複数のビームのうちの最大のパスロス値とすることができる。代替的には、選択されたパスロス値は、複数のビームのうちの最小のパスロス値である。
【００６９】
一実施形態では、合成されたパスロス値は、複数のビームのうちの平均パスロス値、又は複数のビームのうちのビームごとの重み付けが異なる平均パスロス値とすることができる。さらに、ｅＮＢ受信ビームの数は、合成されたパスロス値を導出するためのパラメータとすることができる。さらに、複数のビームうちの選択又は合成されたパスロス値に関連するタイプのＵＬ伝送は、ＵＬデータ送信、ビーム掃引のためのＳＲＳ、非周期的ＣＳＩ、ＨＡＲＱ−ＡＣＫ及び／又はチャネル測定のためのＳＲＳを含み得る。
【００７０】
一実施形態では、制御復調のための基準信号は、制御のためのＤＭＲＳ（DeModulation  Reference  Signal）とすることができる。さらに、制御復調のための基準信号から導出されたパスロス値の有効期間は、１つのＴＴＩ又は１つのサブフレームである。さらに、制御復調のための基準信号から導出されたパスロス値は、受信された制御シグナリングに関連するＵＬ伝送に対して有効である。さらに、制御復調のための基準信号に関連するタイプのＵＬ伝送は、ＵＬデータ伝送、非周期的ＣＳＩ、非周期的ＳＲＳ、ＤＬ制御シグナリングのためのＨＡＲＱ−ＡＣＫ及び／又はＤＬデータ伝送のためのＨＡＲＱ−ＡＣＫを含み得る。
【００７１】
一実施形態では、データ復調のための基準信号は、データのためのＤＭＲＳとすることができる。さらに、データ復調のための基準信号から導出されたパスロス値の有効期間は、１つのＴＴＩ又は１つのサブフレームとすることができる。さらに、データ復調のための基準信号から導出されたパスロス値は、受信したＤＬデータ伝送に関連するＵＬ伝送に対して有効である。また、データ復調のための基準信号に関連するタイプのＵＬ伝送は、ＤＬデータ伝送のためのＨＡＲＱ−ＡＣＫを含み得る。
【００７２】
一実施形態では、チャネル測定のための基準信号は、ＣＳＩ−ＲＳとすることができる。さらに、チャネル測定のための基準信号から導出されたパスロス値の有効期間は、１つのＴＴＩ又は１つのサブフレームであり得る。さらに、チャネル測定のための基準信号から導出されたパスロス値は、チャネル測定のための対応する受信した基準信号から測定されたＣＳＩ報告を含むＵＬ伝送に対して有効である。また、データ復調のための基準信号に関連するタイプのＵＬ伝送は、非周期的ＣＳＩ、周期的ＣＳＩ及び／又はＵＬ（アップリンク）データ伝送を含むことができる。さらに、ＵＬデータ伝送のＵＬ伝送電力が、関連する１つのＣＳＩ−ＲＳリソース／プロセスから導出されたパスロス値から導出される場合、関連するＣＳＩ−ＲＳリソース／プロセスは、ＵＬデータ伝送をスケジューリングする制御シグナリングに示され得る。
【００７３】
一実施形態では、パスロスのための基準信号はパスロスＲＳである。ＵＬ伝送の場合、ＵＥは、関連するパスロスのための基準信号から測定されたパスロス値を事前に決定する。さらに、パスロスのための基準信号と関連するＵＬ  ＴＴＩ又はＵＬサブフレームとの間のタイミング間隔を指定又は構成するあるいはシグナリングを介して指示することができる。さらに、パスロスのための基準信号に関連するタイプのＵＬ伝送は、ＵＬデータ、ＳＲＳ、ＵＬ制御、ＨＡＲＱ−ＡＣＫ、ＣＳＩ報告、非競合ベースのプリアンブル及び／又はＳＲを含み得る。
【００７４】
一実施形態では、パスロスのための基準信号は、ＵＥ固有であり、ＵＬ伝送電力決定のためのパスロスのための基準信号は、上位レイヤで構成されるあるいは制御シグナリングで指示され得る。代替的には、パスロスのための基準信号は、セル固有又はＴＲＰ固有とすることができる。
【００７５】
一実施形態では、ＵＥは、いくつかのＤＬタイミングにおいてパスロスのための基準信号を測定する。ここで、ＤＬタイミングは、すべてＴＴＩ／すべてのサブフレーム又はいくつかの構成されたＴＴＩ／サブフレームである。さらに、パスロスのための基準信号と関連するタイプのＵＬ伝送との間の関連を指定又は構成することができる。さらに、パスロスのための基準信号と関連するタイプのＵＬ伝送との間のタイミング差を指定又は構成することができる。
【００７６】
一実施形態では、あるタイプのＵＬ伝送が異なる基準信号に関連する場合、異なる基準信号のうちの１つの基準信号が、ＵＬ伝送のＵＬ伝送電力を決定するために利用されるパスロス値について決定され得る。さらに、最新の関連する基準信号のパスロス値が、ＵＬ伝送のＵＬ伝送電力を決定するために利用され得る。さらに、データ若しくは制御復調のための基準信号又はチャネル測定のための基準信号から導出された有効なパスロス値は、ビーム追跡／ビーム発見のための信号のための基準信号から導出された有効なパスロス値の代わりに、いくつかの第１のタイプのＵＬ伝送のＵＬ伝送電力を決定するために利用され得る。
【００７７】
一実施形態では、いくつかのタイプのＵＬ伝送は、ＵＬデータ伝送、非周期的ＣＳＩ報告、非周期的ＳＲＳ、チャネル測定のためのＳＲＳ及び／又はＨＡＲＱ−ＡＣＫを含み得る。さらに、ビーム追跡／ビーム発見のための基準信号から導出された有効なパスロス値が、データ若しくは制御復調のための基準信号又はチャネル測定のための基準信号から導出された有効なパスロス値の代わりに、いくつかの第２のタイプのＵＬ伝送のＵＬ伝送電力を決定するために利用され得る。
【００７８】
一実施形態では、いくつかのタイプのＵＬ伝送は、ＳＲ、周期的ＣＳＩ報告、周期的ＳＲＳ及び／又はビーム掃引のためのＳＲＳを含み得る。さらに、データ若しくは制御復調のための基準信号又はチャネル測定のための基準信号から導出された有効なパスロス値が、パスロスのための基準信号から導出された有効なパスロス値の代わりに、いくつかのタイプのＵＬ伝送のＵＬ伝送電力を決定するために利用され得る。パスロスのための基準信号から導出された有効なパスロス値も、ビーム追跡／ビーム発見のための基準信号から導出された有効なパスロス値の代わりに、いくつかのタイプのＵＬ伝送のＵＬ伝送電力を決定するために利用され得る。さらに、ビーム追跡／ビーム発見のための基準信号から導出された有効なパスロス値が、パスロスのための基準信号から導出された有効なパスロス値の代わりに、いくつかのタイプのＵＬ伝送のＵＬ伝送電力を決定するために利用され得る。さらに、パスロスのための基準信号から導出された有効なパスロス値が、データ若しくは制御復調のための基準信号又はチャネル測定のための基準信号から導出された有効なパスロス値の代わりに、いくつかのタイプのＵＬ伝送のＵＬ伝送電力を決定するために利用され得る。
【００７９】
再度図３及び図４を参照すると、ＵＥの例示的な一実施形態において、デバイス３００は、メモリ３１０に記憶されたプログラムコード３１２を含む。ＣＰＵ３０８は、プログラムコード３１２を実行して、ＵＥが（ｉ）第１の基準信号から測定された第１のパスロス値を導出し、（ｉｉ）第２の基準信号から測定された第２のパスロス値を導出し、（ｉｉｉ）第１のＵＬ伝送を送信し（ここで、第１のＵＬ伝送のＵＬ伝送電力が第１のパスロス値から導出される）（ｉｖ）第２のＵＬ伝送を送信する（ここで、第２のＵＬ伝送のＵＬ伝送電力が第２のパスロス値から導出される）、ことを可能にする。さらに、ＣＰＵ３０８は、プログラムコード３１２を実行して、上述のアクション及びステップのすべて、その他の本明細書で説明した事項を実施することができる。
【００８０】
図１９は、例示的な一実施形態による、ＵＥの観点からのフローチャート１９００である。ステップ１９０５において、ＵＥは、基準信号から測定されたパスロス値を導出する。ステップ１９１０において、ＵＥは、第１のＵＬ（Uplink）伝送を送信する。ここで、第１のＵＬ伝送のＵＬ伝送電力は、パスロス値及び第１の電力オフセットから導出される。ステップ１９１５において、ＵＥは、第２のＵＬ伝送を送信する。第２のＵＬ伝送のＵＬ伝送電力は、パスロス値及び第２の電力オフセットから導出される。
【００８１】
一実施形態では、第１のＵＬ伝送と第２のＵＬ伝送は、同じインタフェース上とすることができる。さらに、第１のＵＬ伝送及び第２のＵＬ伝送は、異なるビームでｅＮＢによって受信され得る。さらに、第１のＵＬ伝送及び第２のＵＬ伝送は、異なるタイプのＵＬ伝送とすることができる。
【００８２】
一実施形態では、あるタイプのＵＬ伝送の場合、基準信号の送信ビームとそのタイプのＵＬ伝送の受信ビームとの間の差による電力差を補償するために電力オフセットが提供され得る。さらに、異なるタイプのＵＬ伝送に対して、異なる電力オフセットが構成又は指示される。
【００８３】
一実施形態では、基準信号は、ビーム追跡／ビーム発見のための基準信号又はパスロスのための基準信号とすることができる。さらに、ＴＰＣ（伝送電力制御）コマンドによって調整される１つの電力状態が、複数のタイプのＵＬ伝送に適用される。
【００８４】
一実施形態では、いくつかのタイプのＵＬ伝送の場合、関連する電力オフセットを上位レイヤによる構成又はＭＡＣ  ＣＥから提供することができる。さらに、これらのタイプのＵＬ伝送は、（競合ベースの）プリアンブル、ＳＲ、周期的ＣＳＩ及び／又は周期的ＳＲＳを含み得る。周期的ＣＳＩの場合、すべてのＣＳＩ−ＲＳリソース／プロセスに対して１つの電力オフセット又は各ＣＳＩ−ＲＳリソース／プロセスに対して１つの電力オフセットとすることができる。
【００８５】
一実施形態では、いくつかのタイプのＵＬ伝送の場合、関連する電力オフセットは、ＤＬ制御シグナリングから指示され得る。さらに、これらのタイプのＵＬ伝送は、制御シグナリングなしのＵＬデータ、制御シグナリングを伴うＵＬデータ、非周期的ＣＳＩ、非周期的ＳＲＳ、ＤＬ制御シグナリングのためのＨＡＲＱ−ＡＣＫ、ＤＬデータ伝送のためのＨＡＲＱ−ＡＣＫ及び／又は非競合ベースのプリアンブルを含み得る。
【００８６】
一実施形態では、パスロス値は、ビーム追跡／ビーム発見のための基準信号から導出され得る。さらに、ビーム追跡／ビーム発見のための基準信号は、ＢＲＳとすることができる。さらに、ビーム追跡／ビーム発見のための基準信号は、ビーム固有であり、異なるビームは、ビーム追跡／ビーム発見のための異なる個別の基準信号に対応し得る。
【００８７】
一実施形態では、パスロス値は、最良の適格なチャネル品質を有する１つの特定のビームのビーム追跡／ビーム発見のための基準信号から導出され得る。さらに、ビーム追跡／ビーム発見のための基準信号から導かれるパスロス値は、次回のビーム追跡を行うまで有効である。さらに、ビーム追跡／ビーム発見のための基準信号から導出されたパスロス値の有効期間は、ビーム追跡／ビーム発見のための基準信号の１つ以上の周期とすることができる。
【００８８】
一実施形態では、パスロス値は、パスロスのための基準信号から導出され得る。さらに、パスロスのための基準信号はパスロスＲＳである。さらに、ＵＬ伝送のために、ＵＥは、パスロスのための関連する基準信号から測定されたパスロス値を事前に導出することができる。また、パスロスのための基準信号と関連するＵＬ  ＴＴＩ又はＵＬサブフレームとの間のタイミング間隔を指定又は構成するあるいはシグナリングによって指示することができる。パスロスのための基準信号に関連するタイプのＵＬ伝送は、ＵＬデータ、ＳＲＳ、ＵＬ制御、ＨＡＲＱ−ＡＣＫ、ＣＳＩ報告、非競合ベースのプリアンブル及び／又はＳＲを含み得る。
【００８９】
一実施形態では、パスロスのための基準信号は、ＵＥ固有であり、ＵＬ伝送電力決定のためのパスロスのための基準信号は、上位レイヤによる構成又は制御シグナリングで指示され得る。代替的には、パスロスのための基準信号は、セル固有又はＴＲＰ固有とすることができる。
【００９０】
一実施形態では、ＵＥは、いくつかのＤＬタイミングにおいてパスロスのための基準信号を測定する。ここで、ＤＬタイミングは、すべてＴＴＩ／すべてのサブフレーム又はいくつかの構成されたＴＴＩ／サブフレームである。さらに、パスロスのための基準信号と関連するタイプのＵＬ伝送との間の関連を指定又は構成することができる。さらに、パスロスのための基準信号とＵＬ伝送との間のタイミング差を指定又は構成することができる。
【００９１】
一実施形態では、インタフェースは、ＵＥと無線アクセスネットワークとの間の無線インタフェース、ＵＥとｅＮＢとの間の無線インタフェース又はＵｕインタフェースとすることができる。
【００９２】
再度図３及び図４を参照すると、ＵＥの例示的な一実施形態では、デバイス３００は、メモリ３１０に記憶されたプログラムコード３１２を含む。ＣＰＵ３０８は、プログラムコード３１２を実行して、ＵＥが（ｉ）基準信号から測定されたパスロス値を導出し、（ｉｉ）第１のＵＬ伝送を送信し（ここで、第１のＵＬ伝送のＵＬ伝送電力はパスロス値及び第１の電力オフセットから導出される）、（ｉｉｉ）第２のＵＬ伝送を送信する（ここで、第２のＵＬ伝送のＵＬ伝送電力はパスロス値及び第２の電力オフセットから導出される）、ことを可能にする。さらに、ＣＰＵ３０８は、プログラムコード３１２を実行して、上述のアクション及びステップのすべて、その他の本明細書で説明した事項を実施することができる。
【００９３】
本開示の様々な態様を上記に説明した。本明細書における教示は、広範な様々な形式で具体化することができ、本明細書に開示されている特定の構造、機能、又はその両方が、単に代表的なものであることは明らかなはずである。本明細書における教示に基づいて、当業者であれば、本明細書に開示された態様は任意の他の態様とは独立して実施することができ、これらの態様の２つ以上を様々な方法で組み合わせることができると認識するはずである。例えば、本明細書に記載の任意の数の態様を使用して、デバイスを実装するあるいは方法を実施することができる。さらに、本明細書に記載の態様の１つ以上のものに加えて、あるいはそれらとは異なる他の構造、機能、又は構造及び機能を使用して、そのようなデバイスを実装するあるいはそのような方法を実施することができる。上記概念のいくつかの例として、いくつかの態様では、パルス繰り返し周波数に基づいて同時チャネルを確立することができる。いくつかの態様では、パルス位置又はオフセットに基づいて同時チャネルを確立することができる。いくつかの態様では、時間ホッピングシーケンス（time  hopping  sequences）に基づいて同時チャネルを確立することができる。いくつかの態様では、パルス繰り返し周波数、パルス位置又はオフセット、及び時間ホッピングシーケンスに基づいて同時チャネルを確立することができる。
【００９４】
当業者であれば、情報及び信号は、様々な異なる技術及び技巧のいずれかを使用して表わすことができることを理解するものである。例えば、上記の説明を通して参照され得るデータ、命令、コマンド、情報、信号、ビット、シンボル及びチップは、電圧、電流、電磁波、磁場若しくは粒子、光学フィールド若しくは粒子、又はそれらの任意の組み合わせによって表わすことができる。
【００９５】
当業者であれば、本明細書で開示される態様に関連して説明した様々な例示的な論理ブロック、モジュール、プロセッサ、手段、回路及びアルゴリズムステップは、電子ハードウェア（例えば、ソースコーディング若しくは何らかの他の技巧を使用して設計され得る、デジタル実装、アナログ実装又は、それら２つの組み合わせ）、命令を組み込む様々な形式のプログラム若しくは設計コード（本明細書では、便宜上、「ソフトウェア」又は「ソフトウェアモジュール」と称されることがある）又はそれら両方の組み合わせとして実装し得ると認識するものである。ハードウェアとソフトウェアとのこの互換性を明確に説明するために、様々な例示的なコンポーネント、ブロック、モジュール、回路及びステップは、それらの機能性の点から一般的に上記に説明している。そのような機能性がハードウェア又はソフトウェアとして実装されるかは、特定のアプリケーション及びシステム全体に課される設計制約に依存する。当業者は、特定のアプリケーションごとに様々な方法で、説明した機能を実装することができるが、そのような実装の決定は、本開示の範囲から逸脱させるものと解釈されるべきではない。
【００９６】
さらに、本明細書で開示された態様に関連して説明した様々な例示的な論理ブロック、モジュール、及び回路は、集積回路（「ＩＣ」）、アクセス端末又はアクセスポイント内で実施される、あるいはそれらによって実行され得る。ＩＣは、本明細書で説明した機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、電気部品、光学部品、機械部品又はそれらの任意の組み合わせを含むことができ、ＩＣの内部、ＩＣの外部又はその両方に存在するコード又は命令を実行することができる。汎用プロセッサはマイクロプロセッサとすることができるが、代替として、プロセッサは、任意の従来のプロセッサ、コントローラ、マイクロコントローラ又はステートマシンとすることができる。また、プロセッサは、コンピューティングデバイスの組み合わせ、例えば、ＤＳＰとマイクロプロセッサとの組み合わせ、複数のマイクロプロセッサ、ＤＳＰコアと組み合わせた１つ以上のマイクロプロセッサ、又は他の任意のそのような構成として実現することができる。
【００９７】
任意の開示されたプロセスにおけるステップのあらゆる特定の順序又は階層は、サンプルのアプローチの例であると理解する。設計嗜好に基づいて、本開示の範囲内にとどまりながら、プロセスにおけるステップの特定の順序又は階層は再構成することができると理解する。添付の方法の請求項は、サンプルの順序における様々なステップの要素を提示し、提示した特定の順序又は階層に限定されることを意味していない。
【００９８】
本明細書に開示された態様に関連して説明した方法又はアルゴリズムのステップは、ハードウェア、プロセッサによって実行されるソフトウェアモジュール、又はそれら２つの組み合わせで直接的に具体化することができる。ソフトウェアモジュール（例えば、実行可能な命令及び関連データを含む）及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は本技術分野で知られている任意の他の形式のコンピュータ読み取り可能記憶媒体等のデータメモリに存在することができる。サンプルの記憶媒体は、例えば、コンピュータ／プロセッサ（本明細書では、便宜上「プロセッサ」と称されることがある）などの機械に結合されることができ、そのようなプロセッサは、情報（例えばコード）を記憶媒体から読み出し、情報を記憶媒体に書き込むことができる。サンプルの記憶媒体は、プロセッサに一体化することができる。プロセッサ及び記憶媒体は、ＡＳＩＣ内に存在することができる。ＡＳＩＣは、ユーザ機器内に存在することができる。代替的に、プロセッサ及び記憶媒体は、ユーザ機器内のディスクリートコンポーネントとして存在することができる。さらに、いくつかの態様においては、任意の適切なコンピュータプログラム製品は、本開示の１つ以上の態様に関するコードを含むコンピュータ読み取り可能媒体を含むことができる。いくつかの態様では、コンピュータプログラム製品は、包装材料を含むことができる。
【００９９】
本発明を様々な態様に関連して説明したが、本発明はさらなる修正が可能であると理解するものである。この出願は、一般に、本発明の原理に従う本発明のあらゆる変形、使用又は適合をカバーするものであり、本発明が関係する技術分野において、既知の慣用的な実施の範囲内となるような本開示からの逸脱したものを含む。
【図１】
2020022206.tif 000059
【図２】
2020022206.tif 000060
【図３】
2020022206.tif 000061
【図４】
2020022206.tif 000062
【図５】
2020022206.tif 000063
【図６】
2020022206.tif 000064
【図７】
2020022206.tif 000065
【図８】
2020022206.tif 000066
【図９】
2020022206.tif 000067
【図１０】
2020022206.tif 000068
【図１１】
2020022206.tif 000069
【図１２】
2020022206.tif 000070
【図１３】
2020022206.tif 000071
【図１４】
2020022206.tif 000072
【図１５】
2020022206.tif 000073
【図１６】
2020022206.tif 000074
【図１７】
2020022206.tif 000075
【図１８】
2020022206.tif 000076
【図１９】
2020022206.tif 000077